(57)【要約】      （修正有）【課題】処理部により処理される貨幣を収納するための持ち運び可能な収納部が自店で使用されるべきものであるか否かをチェックするための専用の器具を持たなくても操作者は収納部が自店で使用されるべきものであるか否かを知ることができる、貨幣処理機、貨幣処理システムおよび貨幣処理方法を提供する。【解決手段】貨幣処理機（例えば、貨幣入出金機１００）は、貨幣を処理する処理部と、処理部により処理される貨幣を収納するための持ち運び可能な収納部（例えば、収納カセット）に設けられている記憶媒体から店舗情報を含む情報を読み取る読取部と、読取部により読み取られた店舗情報に基づいて、収納部が自店で使用されるべきものであるか否かを報知する報知部（例えば、操作表示部１０４）とを備えている。【選択図】図２
2019144662.tif 000002
【特許請求の範囲】
【請求項１】
貨幣を処理する処理部と、
前記処理部により処理される貨幣を収納するための持ち運び可能な収納部に設けられている記憶媒体から店舗情報を含む情報を読み取る読取部と、
前記読取部により読み取られた店舗情報に基づいて、前記収納部が自店で使用されるべきものであるか否かを報知する報知部と、
を備えた、貨幣処理機。
【請求項２】
前記収納部に収納されている貨幣の授受の認証を行うための操作部を更に備え、
前記報知部により前記収納部が自店で使用されるべきものであることが報知されたときにおいてのみ、前記収納部に収納されている貨幣の授受の認証を前記操作部により行うことができるようになっている、請求項１記載の貨幣処理機。
【請求項３】
前記収納部に収納されている貨幣の授受の認証が行われた旨の情報を印字するための印字部を更に備えた、請求項２記載の貨幣処理機。
【請求項４】
前記収納部に収納されている貨幣の授受を行った操作者の識別情報を受け付ける識別情報受付部を更に備え、
前記印字部は、前記収納部に収納されている貨幣の授受の認証が行われた旨の情報を印字する際に、前記識別情報受付部により受け付けられた当該貨幣の授受を行った操作者の識別情報も印字する、請求項３記載の貨幣処理機。
【請求項５】
前記収納部に収納されている貨幣の授受の認証が行われた旨の情報を当該収納部の前記記憶媒体に書き込むための書込部を更に備えた、請求項２乃至４のいずれか一項に記載の貨幣処理機。
【請求項６】
前記収納部に収納されている貨幣の授受の認証が行われた旨の情報を外部装置に送信するための通信部を更に備えた、請求項２乃至５のいずれか一項に記載の貨幣処理機。
【請求項７】
前記報知部は、前記収納部が自店で使用されるべきものであるか否かに係る情報を表示する表示部を含む、請求項１乃至６のいずれか一項に記載の貨幣処理機。
【請求項８】
前記読取部により読み取られた店舗情報に基づいて、前記収納部が自店で使用されるべきものであると判定されたときに、前記収納部に収納されている貨幣の授受を操作者に促す旨の情報が前記表示部に表示される、請求項７記載の貨幣処理機。
【請求項９】
前記読取部により読み取られた店舗情報に基づいて、前記収納部が自店で使用されるべきものであると判定されたときに、前記収納部から前記処理部に貨幣が自動で送られる、請求項１乃至８のいずれか一項に記載の貨幣処理機。
【請求項１０】
前記収納部は、貨幣を収納するとともに前記貨幣処理機に装着されたときに収納されている貨幣を前記貨幣処理機の内部に繰り出し可能なカセットである、請求項１乃至９のいずれか一項に記載の貨幣処理機。
【請求項１１】
貨幣を処理する処理部、および前記処理部により処理される貨幣を収納するための持ち運び可能な収納部に設けられている記憶媒体から店舗情報を含む情報を読み取る読取部を有する貨幣処理機と、
前記貨幣処理機に通信可能に接続され、当該貨幣処理機の管理を行う管理装置と、
を備え、
前記管理装置は、前記読取部により読み取られた店舗情報に基づいて、前記収納部が自店で使用されるべきものであるか否かを判定し、
前記管理装置による判定結果に基づいて、前記収納部が自店で使用されるべきものであるか否かを報知する報知部が設けられている、貨幣処理システム。
【請求項１２】
貨幣を処理する処理部を有する貨幣処理機に装着された収納部に設けられている記憶媒体から店舗情報を含む情報を読取部により読み取る工程と、
前記読取部により読み取られた店舗情報に基づいて、前記収納部が自店で使用されるべきものであるか否かを判定する工程と、
判定結果に基づいて、前記収納部が自店で使用されるべきものであるか否かを報知する工程と、
を備えた、貨幣処理方法。
【発明の詳細な説明】
【技術分野】
【０００１】
本発明は、貨幣の処理を行う貨幣処理機、このような貨幣処理機を備えた貨幣処理システムおよびこのような貨幣処理機による貨幣処理方法に関する。
【背景技術】
【０００２】
スーパーマーケットやコンビニエンスストア等の商業施設の店舗において、商品棚が設置されるフロント領域の精算所には貨幣釣銭機が設置されるとともに顧客が立ち入ることができないバックヤード領域には貨幣入出金機が設置されるようになっている。ここで、バックヤード領域に設置される貨幣入出金機は、貨幣釣銭機から回収された売上金としての貨幣の入金処理を行うとともに、貨幣釣銭機に補充されるべき釣銭補充金としての貨幣の出金処理を行うようになっている。
【０００３】
貨幣入出金機から貨幣を回収して警送会社の現金処理センターに輸送する輸送システムとして例えば特許文献１に開示されるものが知られている。特許文献１に開示される輸送システムによれば、貨幣入出金機から回収された貨幣をまず収納カセットに収納し、店舗に設置されている集金装置においてこの収納カセットから輸送カセットに貨幣を移し替え、警送会社の警備員は輸送カセットを輸送車により店舗から警送会社の現金処理センターに輸送するようになっている。
【先行技術文献】
【特許文献】
【０００４】
【特許文献１】特開平１０−１８８１３１号公報
【発明の概要】
【発明が解決しようとする課題】
【０００５】
店舗のバックヤード領域に設置される貨幣入出金機に貨幣を補充するにあたり、従来では、補充されるべき貨幣が収納されているカセットを警送会社の警備員が輸送車により警送会社の現金処理センターから店舗に輸送し、店舗において警送会社の警備員から店舗の店員等にカセットが引き渡されていた。また、このようなカセットの授受が行われる際に、警備員が所持しているハンディターミナル等によってカセットに付けられているバーコード等が読み取られることにより、警送会社の警備員から店舗の店員等に引き渡されるカセットが店舗に適合しているか否かの確認が行われていた。具体的には、カセットに付けられているバーコード等には、当該カセットに収納されている貨幣が補充されるべき貨幣入出金機の店舗情報が記憶されており、このバーコード等がハンディターミナル等によって読み取られると、読み取られた貨幣入出金機の店舗情報と、実際にカセットが警送会社の警備員から店舗の店員等に引き渡された店舗の情報とが比較されるようになる。しかしながら、このような確認方法では、専用のハンディターミナル等を警送会社の警備員に持たせる必要があるため費用がかかったり、ハンディターミナル等の持ち運びの際に破損や紛失等のトラブルが生じてしまうおそれがあったりするという問題があった。また、カセットからバーコード等が剥がれた場合には、カセットに収納されている貨幣が自店の貨幣入出金機に補充されるべきものであるか否かを確認することができないという問題があった。
【０００６】
本発明は、このような点を考慮してなされたものであり、処理部により処理される貨幣を収納するための持ち運び可能な収納部が自店で使用されるべきものであるか否かをチェックするための専用の器具を持たなくても操作者は収納部が自店で使用されるべきものであるか否かを知ることができる、貨幣処理機、貨幣処理システムおよび貨幣処理方法を提供することを目的とする。
【課題を解決するための手段】
【０００７】
本発明の貨幣処理機は、貨幣を処理する処理部と、前記処理部により処理される貨幣を収納するための持ち運び可能な収納部に設けられている記憶媒体から店舗情報を含む情報を読み取る読取部と、前記読取部により読み取られた店舗情報に基づいて、前記収納部が自店で使用されるべきものであるか否かを報知する報知部と、を備えたことを特徴とする。
【０００８】
このような貨幣処理機によれば、処理部により処理される貨幣を収納するための持ち運び可能な収納部に設けられている記憶媒体から読み取られた店舗情報に基づいて、収納部が自店で使用されるべきものであるか否かを報知することにより、収納部が自店で使用されるべきものであるか否かをチェックするための専用の器具を持たなくても操作者は収納部が自店で使用されるべきものであるか否かを知ることができる。
【０００９】
本発明の貨幣処理機は、前記収納部に収納されている貨幣の授受の認証を行うための操作部を更に備え、前記報知部により前記収納部が自店で使用されるべきものであることが報知されたときにおいてのみ、前記収納部に収納されている貨幣の授受の認証を前記操作部により行うことができるようになっていてもよい。
【００１０】
この場合、本発明の貨幣処理機は、前記収納部に収納されている貨幣の授受の認証が行われた旨の情報を印字するための印字部を更に備えていてもよい。
【００１１】
また、本発明の貨幣処理機は、前記収納部に収納されている貨幣の授受を行った操作者の識別情報を受け付ける識別情報受付部を更に備え、前記印字部は、前記収納部に収納されている貨幣の授受の認証が行われた旨の情報を印字する際に、前記識別情報受付部により受け付けられた当該貨幣の授受を行った操作者の識別情報も印字するようになっていてもよい。
【００１２】
また、本発明の貨幣処理機は、前記収納部に収納されている貨幣の授受の認証が行われた旨の情報を当該収納部の前記記憶媒体に書き込むための書込部を更に備えていてもよい。
【００１３】
また、本発明の貨幣処理機は、前記収納部に収納されている貨幣の授受の認証が行われた旨の情報を外部装置に送信するための通信部を更に備えていてもよい。
【００１４】
また、前記報知部は、前記収納部が自店で使用されるべきものであるか否かに係る情報を表示する表示部を含んでいてもよい。
【００１５】
この場合、前記読取部により読み取られた店舗情報に基づいて、前記収納部が自店で使用されるべきものであると判定されたときに、前記収納部に収納されている貨幣の授受を操作者に促す旨の情報が前記表示部に表示されるようになっていてもよい。
【００１６】
また、前記読取部により読み取られた店舗情報に基づいて、前記収納部が自店で使用されるべきものであると判定されたときに、前記収納部から前記処理部に貨幣が自動で送られるようになっていてもよい。
【００１７】
本発明の貨幣処理機においては、前記収納部は、貨幣を収納するとともに前記貨幣処理機に装着されたときに収納されている貨幣を前記貨幣処理機の内部に繰り出し可能なカセットであってもよい。
【００１８】
本発明の貨幣処理システムは、貨幣を処理する処理部、および前記処理部により処理される貨幣を収納するための持ち運び可能な収納部に設けられている記憶媒体から店舗情報を含む情報を読み取る読取部を有する貨幣処理機と、前記貨幣処理機に通信可能に接続され、当該貨幣処理機の管理を行う管理装置と、を備え、前記管理装置は、前記読取部により読み取られた店舗情報に基づいて、前記収納部が自店で使用されるべきものであるか否かを判定し、前記管理装置による判定結果に基づいて、前記収納部が自店で使用されるべきものであるか否かを報知する報知部が設けられていることを特徴とする。
【００１９】
このような貨幣処理システムによれば、処理部により処理される貨幣を収納するための持ち運び可能な収納部に設けられている記憶媒体から読み取られた店舗情報に基づいて、収納部が自店で使用されるべきものであるか否かを報知することにより、収納部が自店で使用されるべきものであるか否かをチェックするための専用の器具を持たなくても操作者は収納部が自店で使用されるべきものであるか否かを知ることができる。
【００２０】
本発明の貨幣処理方法は、貨幣を処理する処理部を有する貨幣処理機に装着された収納部に設けられている記憶媒体から店舗情報を含む情報を読取部により読み取る工程と、前記読取部により読み取られた店舗情報に基づいて、前記収納部が自店で使用されるべきものであるか否かを判定する工程と、判定結果に基づいて、前記収納部が自店で使用されるべきものであるか否かを報知する工程と、を備えたことを特徴とする。
【００２１】
このような貨幣処理方法によれば、貨幣を収納するための持ち運び可能な収納部に設けられている記憶媒体から読み取られた店舗情報に基づいて、収納部が自店で使用されるべきものであるか否かを報知することにより、収納部が自店で使用されるべきものであるか否かをチェックするための専用の器具を持たなくても操作者は収納部が自店で使用されるべきものであるか否かを知ることができる。
【発明の効果】
【００２２】
本発明の貨幣処理機、貨幣処理システムおよび貨幣処理方法によれば、処理部により処理される貨幣を収納するための持ち運び可能な収納部が自店で使用されるべきものであるか否かをチェックするための専用の器具を持たなくても操作者は収納部が自店で使用されるべきものであるか否かを知ることができる。
【図面の簡単な説明】
【００２３】
【図１】本発明の実施の形態における貨幣管理システムの構成を概略的に説明するための概略構成図である。
【図２】図１に示す貨幣管理システムにおける貨幣入出金機の外観を示す斜視図である。
【図３】図２に示す貨幣入出金機における紙幣処理ユニットの内部構成を側方から見たときの構成図である。
【図４】図２に示す貨幣入出金機における硬貨処理ユニットの内部構成を上方から見たときの構成図である。
【図５】図２に示す貨幣入出金機における包装硬貨収納ユニットの引出部の構成を示す斜視図である。
【図６】図２に示す貨幣入出金機における制御系の構成を示す機能ブロック図である。
【図７】図１に示す貨幣管理システムにおいて警送会社の警備員が貨幣入出金機に釣銭準備金としての貨幣を補充する際の動作を示すフローチャートである。
【図８】本発明の実施の形態による他の構成の貨幣処理装置の外観を示す斜視図である。
【図９】図８に示す貨幣処理装置における紙幣処理部の内部構成を側方から見たときの構成図である。
【図１０】図８に示す貨幣処理装置における制御系の構成を示す機能ブロック図である。
【図１１】本発明の実施の形態による更に他の構成の有価媒体処理装置の外観を示す斜視図である。
【図１２】図１１に示す有価媒体処理装置の内部構成を模式的に示す構成図である。
【図１３】図１１に示す有価媒体処理装置における制御系の構成を示す機能ブロック図である。
【発明を実施するための形態】
【００２４】
以下、図面を参照して本発明の実施の形態について説明する。図１乃至図７は、本実施の形態による貨幣入出金機およびこのような貨幣入出金機を備えた貨幣管理システムを示す図である。このうち、図１は、本実施の形態における貨幣管理システムの構成を概略的に説明するための概略構成図である。また、図２は、図１に示す貨幣管理システムにおける貨幣入出金機の外観を示す斜視図であり、図３乃至図５は、それぞれ、図２に示す貨幣入出金機における紙幣処理ユニット、硬貨処理ユニットおよび包装硬貨収納ユニットの構成を示す図である。また、図６は、図２に示す貨幣入出金機における制御系の構成を示す機能ブロック図であり、図７は、図１に示す貨幣管理システムにおいて警送会社の警備員が貨幣入出金機に釣銭準備金としての貨幣を補充する際の動作を示すフローチャートである。
【００２５】
図１に示すように、コンビニエンスストアやスーパーマーケット等の商業施設の店舗２０において、顧客が立ち入ることができるフロント領域には様々な商品が陳列された商品棚が設置されているとともに、このフロント領域の精算所には貨幣釣銭機２００やＰＯＳレジスタ２９０が設置されている。顧客がこのような精算所で精算処理を行う際に、店員は、顧客から受け取った商品の代金としての貨幣を貨幣釣銭機２００に入金したり、釣銭としての貨幣を貨幣釣銭機２００から出金して顧客に返却したりするようになっている。また、ＰＯＳレジスタ２９０により、顧客が購入した商品に係る情報や貨幣釣銭機２００に収納されている貨幣に係る情報等の管理が行われるようになっている。また、このような店舗２０における顧客の立ち入りが禁止されたバックヤード領域（具体的には、例えば入金室）には、貨幣釣銭機２００から回収された売上金としての貨幣を入金する出納機等の貨幣入出金機１００が設置されている。また、貨幣釣銭機２００において釣銭としての貨幣が不足する場合には、貨幣入出金機１００から釣銭補充金としての貨幣を出金し、この貨幣入出金機１００から出金された釣銭補充金としての貨幣を貨幣釣銭機２００に補充することができるようになっている。本実施の形態では、このような貨幣入出金機１００および貨幣釣銭機２００を組み合わせることにより貨幣管理システム１が構成されている。
【００２６】
また、図１に示すように、本実施の形態による貨幣管理システム１では、警送会社１０の警備員により、貨幣入出金機１００から、紙幣や硬貨が収納されている回収カセット１４０、１７０（後述）が取り出され、これらの回収カセット１４０、１７０ごと紙幣や硬貨が貨幣入出金機１００から警送会社に回収されるようになっている。また、警送会社１０の警備員は、貨幣釣銭機２００で用いられる釣銭準備金としての貨幣（具体的には、紙幣）を後述する収納カセット３０に収納させた状態で警送会社１０から店舗２０に運搬し、この店舗２０のバックヤード領域に設けられた貨幣入出金機１００に入金するようになっている。
【００２７】
また、図１に示すように、本実施の形態による貨幣管理システム１では、貨幣入出金機１００はＬＡＮ４４を介して店舗２０の外部に設けられたターミナル４０やユーザーサーバー４２に通信可能に接続されており、これらのターミナル４０やユーザーサーバー４２により、貨幣入出金機１００における貨幣の在高や、警送会社１０の警備員や店舗２０の店員等の操作者の情報が管理されるようになっている。
【００２８】
次に、このような貨幣管理システム１における貨幣入出金機１００および貨幣釣銭機２００の構成の詳細について説明する。
【００２９】
まず、店舗２０のバックヤード領域に設けられた貨幣入出金機１００の構成の詳細について図２乃至図６を用いて説明する。図２等に示すように、本実施の形態による貨幣入出金機１００は、略直方体形状の筐体１０１を備えており、この筐体１０１の内部には、紙幣の入金処理および出金処理を行う紙幣処理ユニット１１０、硬貨の入金処理および出金処理を行う硬貨処理ユニット１５０、および包装硬貨（同一金種の硬貨を一定枚数（例えば、２０枚や５０枚）だけ棒状にまとめてフィルムや包装紙等により包装したもの）を収納する包装硬貨収納ユニット１８０がそれぞれ収容されている。図２に示すように、紙幣処理ユニット１１０および硬貨処理ユニット１５０は貨幣入出金機１００を手前側から見て左右に並ぶよう配置されており、これらの紙幣処理ユニット１１０および硬貨処理ユニット１５０の下方に包装硬貨収納ユニット１８０が配置されている。
【００３０】
図２および図３に示すように、紙幣処理ユニット１１０は、筐体１０１の前面側の右側領域に設けられた紙幣受入部１２０と、筐体１０１の前面側において紙幣受入部１２０の下方に設けられた紙幣払出部１２２と、筐体１０１の内部で紙幣を１枚ずつ搬送する搬送部１３０と、筐体１０１の内部で紙幣を収納するとともに収納されている紙幣を繰出可能な複数の収納繰出部１３４、１３６とを備えている。なお、図３において、筐体１０１の右側の側面が紙幣処理ユニット１１０の手前側の面となっており、図３における左向きの方向が紙幣処理ユニット１１０の奥行き方向となっている。図３に示すように、搬送部１３０は、筐体１０１の上部における中央位置に配置された周回搬送部１３０ａおよび複数の接続搬送部１３０ｂから構成されている。また、紙幣受入部１２０、紙幣払出部１２２、出金リジェクト部１２４、後述する収納カセット３０を着脱自在に装着可能なカセット装着部１２６、回収カセット１４０および２つの収納繰出部１３４、１３６が、それぞれ、周回搬送部１３０ａを取り囲むよう配置されている。また、図３に示すように、複数の接続搬送部１３０ｂの各々により、紙幣受入部１２０、紙幣払出部１２２、出金リジェクト部１２４、カセット装着部１２６、回収カセット１４０および２つの収納繰出部１３４、１３６の各々と、周回搬送部１３０ａとの間をそれぞれ接続するようになっている。また、周回搬送部１３０ａには識別部１３２が設けられており、この識別部１３２は、周回搬送部１３０ａにより搬送される紙幣の金種、真偽、正損、表裏、搬送状態等の識別を行うようになっている。
【００３１】
周回搬送部１３０ａは、図３における時計回りの方向および反時計回りの方向の両方向に紙幣を１枚ずつ搬送することができるようになっている。また、搬送部１３０において、周回搬送部１３０ａと各接続搬送部１３０ｂとの間で紙幣の搬送経路を切り換える経路切換部（図示せず）が、周回搬送部１３０ａに沿って配置されている。
【００３２】
図２および図３に示すように、筐体１０１の前面には、紙幣受入部１２０の紙幣受入口１２０ａと、紙幣払出部１２２の紙幣取出口１２２ａとがそれぞれ設けられている。また、カセット装着部１２６の前面側には扉１２６ａが設けられており、この扉１２６ａを開くことにより収納カセット３０をカセット装着部１２６に装着させたりこのカセット装着部１２６から収納カセット３０を取り出したりすることができるようになっている。また、図６に示すように、カセット装着部１２６には、当該カセット装着部１２６に装着された収納カセット３０に設けられているＩＣタグ等の記憶媒体３２（後述）に様々な情報を書き込む書込部１２８および当該記憶媒体３２から様々な情報を読み取る読取部１２９がそれぞれ設けられている。書込部１２８により記憶媒体３２に書き込まれる情報や読取部１２９により記憶媒体３２から読み取られる情報の詳細については後述する。
【００３３】
紙幣受入部１２０には紙幣繰出機構１２１が設けられており、紙幣受入口１２０ａに１枚あるいは複数枚の紙幣が投入されたことが検知されると紙幣繰出機構１２１が駆動されることにより紙幣が接続搬送部１３０ｂを介して周回搬送部１３０ａ側へ１枚ずつ繰り出されるようになっている。
【００３４】
紙幣払出部１２２は、各収納繰出部１３４、１３６から周回搬送部１３０ａに繰り出された紙幣を紙幣取出口１２２ａにより筐体１０１の外部へ放出するようになっている。
【００３５】
出金リジェクト部１２４は、出金処理時において各収納繰出部１３４、１３６から繰り出された紙幣のうち、重送や斜行等の搬送異常により識別部１３２で識別することができない紙幣を出金リジェクト紙幣として収納するようになっている。また、紙幣受入部１２０から筐体１０１の内部に取り込まれた紙幣のうち、入金処理時において汚損等により識別部１３２で識別することができない紙幣は入金リジェクト紙幣として紙幣払出部１２２に返却されるようになっている。
【００３６】
各収納繰出部１３４、１３６は、識別部１３２の識別結果に基づいて紙幣を金種別に収納するようになっている。これらの収納繰出部１３４、１３６には、貨幣釣銭機２００への釣銭補充金の紙幣として貨幣入出金機１００から出金されるべき紙幣が収納されるようになっている。具体的には、例えば収納繰出部１３４には千円札が収納され、収納繰出部１３６には五千円札が収納されるようになっている。なお、一万円札は後述する回収カセット１４０に収納されるようになっている。また、各収納繰出部１３４、１３６はそれぞれ紙幣繰出機構１３５、１３７を有しており、これらの収納繰出部１３４、１３６に収納されている紙幣は各紙幣繰出機構１３５、１３７により接続搬送部１３０ｂを介して周回搬送部１３０ａ側へ１枚ずつ繰り出されるようになっている。
【００３７】
筐体１０１の内部における下部領域には回収カセット１４０が収容されており、警送会社１０により回収されるべき紙幣が回収カセット１４０に収納されるようになっている。具体的には、識別部１３２により識別された紙幣が周回搬送部１３０ａから接続搬送部１３０ｂを経て回収カセット１４０に送られるようになっている。また、回収カセット１４０の前面側には扉１４０ａが設けられており、この扉１４０ａを開くことにより回収カセット１４０を筐体１０１の内部に収容させたり筐体１０１の内部から回収カセット１４０を取り出したりすることができるようになっている。
【００３８】
次に、硬貨処理ユニット１５０の構成について説明する。図２および図４に示すように、硬貨処理ユニット１５０は、筐体１０１の前面側の左側領域に設けられた硬貨受入部１５２と、筐体１０１の前面側において硬貨受入部１５２の下方に設けられた硬貨払出部１６６と、筐体１０１の内部で硬貨を収納するとともに収納されている硬貨を繰出可能な複数の収納繰出部１６０とを備えている。
【００３９】
硬貨受入部１５２は、硬貨投入口を介して受け入れた硬貨を１層１列状態で１枚ずつ筐体１０１内に取り込むようになっている。より詳細には、硬貨受入部１５２には繰出ベルト等からなる硬貨繰出機構１５３（図６参照）が設けられており、硬貨受入部１５２に受け入れられた硬貨を検知するとこの硬貨繰出機構１５３が駆動されることにより当該硬貨繰出機構１５３によって硬貨が筐体１０１の内部に１枚ずつ繰り出されるようになっている。また、図４に示すように、硬貨受入部１５２には、当該硬貨受入部１５２により筐体１０１の内部に繰り出された硬貨を搬送する入金搬送部１５４が接続されている。
【００４０】
図４に示すように、入金搬送部１５４の途中には、硬貨の金種、真偽、正損、表裏、搬送状態等の識別を行う識別部１５６と、第１分岐部１５８とがそれぞれ設けられている。第１分岐部１５８は、識別部１５６による硬貨の識別結果に基づいて、リジェクト硬貨等の、硬貨払出部１６６から払い出されるべき硬貨を入金搬送部１５４から分岐させて出金搬送部１６２へ案内するようになっている。
【００４１】
一方、正常硬貨等の筐体１０１内に収納されるべき硬貨は入金搬送部１５４により各収納繰出部１６０へ搬送されるようになっている。収納繰出部１６０は硬貨を金種別に収納するとともに収納されている硬貨を繰出可能となるよう構成されている。具体的には、例えば日本国で流通している硬貨の６つの金種（５００円硬貨、１００円硬貨、５０円硬貨、１０円硬貨、５円硬貨および１円硬貨）に対応して６つの収納繰出部１６０が設けられており、入金搬送部１５４の上流側（すなわち、図４における下側）から低額順に各収納繰出部１６０に硬貨が金種毎に収納されるようになっている。また、収納繰出部１６０には、当該収納繰出部１６０に収納された硬貨を１枚ずつ出金搬送部１６２に繰り出す硬貨繰出機構（図示せず）が設けられている。
【００４２】
出金搬送部１６２は、収納繰出部１６０から繰り出された硬貨を硬貨払出部１６６へ搬送するようになっている。また、出金搬送部１６２は、第１分岐部１５８により入金搬送部１５４から分岐させられたリジェクト硬貨等を硬貨払出部１６６へ搬送するようになっている。
【００４３】
筐体１０１の内部における下部領域には回収カセット１７０が収容されており、警送会社１０により回収されるべき硬貨が回収カセット１７０に収納されるようになっている。具体的には、図４に示すように、出金搬送部１６２の途中箇所には第２分岐部１６４が設けられており、当該第２分岐部１６４により出金搬送部１６２から分岐させられた硬貨は回収カセット１７０に送られてこの回収カセット１７０に収納されるようになっている。また、回収カセット１７０の前面側には扉１７０ａが設けられており、この扉１７０ａを開くことにより回収カセット１７０を筐体１０１の内部に収容させたり筐体１０１の内部から回収カセット１７０を取り出したりすることができるようになっている。
【００４４】
次に、包装硬貨収納ユニット１８０の構成について説明する。図５に示すように、包装硬貨収納ユニット１８０は、包装硬貨が金種毎に収納される複数の収納領域１８０ａ〜１８０ｆが設けられた引出部１８２を有しており、当該引出部１８２は貨幣入出金機１００の筐体１０１の内部から手前側に引き出し可能となっている。なお、図５に示すように、各収納領域１８０ａ〜１８０ｆに包装硬貨が収納されたときに当該包装硬貨の長手方向が鉛直方向を向くようになっている。そして、引出部１８２を貨幣入出金機１００の筐体１０１の内部から手前側に引き出すことにより、各収納領域１８０ａ〜１８０ｆに包装硬貨を収納したりこれらの収納領域１８０ａ〜１８０ｆに収納されている包装硬貨を取り出したりすることができるようになっている。また、図６に示すように、包装硬貨収納ユニット１８０は、引出部１８２を筐体１０１の内部にロックするロック機構１８４が設けられており、引出部１８２が筐体１０１の内部にロックされている状態では当該引出部１８２を筐体１０１の内部から手前側に引き出すことができないようになっている。また、包装硬貨収納ユニット１８０には、引出部１８２の各収納領域１８０ａ〜１８０ｆに収納されている包装硬貨の重量を測定する重量計１８６が設けられている。このような重量計１８６により測定される包装硬貨の重量に基づいて、後述する制御部１０２において引出部１８２の各収納領域１８０ａ〜１８０ｆに収納されている包装硬貨の数が検知されるようになっている。
【００４５】
なお、各収納領域１８０ａ〜１８０ｆに収納されている包装硬貨の数を検知するにあたり、重量計１８６により包装硬貨の重量を測定する代わりに、あるいは重量計１８６により包装硬貨の重量を測定することに加えて、ラインセンサまたは磁気センサを用いて各収納領域１８０ａ〜１８０ｆに収納されている包装硬貨の数を検知してもよく、あるいはこれらのラインセンサや磁気センサを組み合わせることにより各収納領域１８０ａ〜１８０ｆに収納されている包装硬貨の数を検知してもよい。また、収納領域１８０ａ〜１８０ｆ毎にラインセンサや磁気センサが設けられていてもよい。
【００４６】
次に、このような貨幣入出金機１００における制御系の構成について図６を用いて説明する。図６に示すように、本実施の形態による貨幣入出金機１００の筐体１０１の内部には制御部１０２が設けられており、当該制御部１０２により紙幣処理ユニット１１０、硬貨処理ユニット１５０および包装硬貨収納ユニット１８０の各々の構成部材が制御されるようになっている。具体的には、制御部１０２には、紙幣処理ユニット１１０の紙幣繰出機構１２１、搬送部１３０、識別部１３２、各収納繰出部１３４、１３６、カセット装着部１２６、書込部１２８、読取部１２９等が接続されており、識別部１３２による紙幣の識別情報や、収納カセット３０に設けられた記憶媒体３２から読取部１２９により読み取られた情報が制御部１０２に送られるとともに、制御部１０２は紙幣処理ユニット１１０の各構成部材に指令信号を送ることによりこれらの構成部材の制御を行うようになっている。また、制御部１０２には、硬貨処理ユニット１５０の硬貨繰出機構１５３、入金搬送部１５４、識別部１５６、第１分岐部１５８、各収納繰出部１６０、出金搬送部１６２および第２分岐部１６４等が接続されており、識別部１５６による硬貨の識別情報が制御部１０２に送られるとともに、制御部１０２は硬貨処理ユニット１５０の各構成部材に指令信号を送ることによりこれらの構成部材の制御を行うようになっている。また、制御部１０２には、包装硬貨収納ユニット１８０のロック機構１８４および重量計１８６等が接続されており、重量計１８６による包装硬貨の測定結果が制御部１０２に送られるとともに、制御部１０２はロック機構１８４に指令信号を送ることにより当該ロック機構１８４の制御を行うようになっている。
【００４７】
また、図６に示すように、制御部１０２には、操作表示部１０４、通信部１０５、記憶部１０６、印字部１０７および識別情報受付部１０８がそれぞれ接続されている。操作表示部１０４は筐体１０１の上部に設けられたタッチパネル等からなり、操作者が操作するための操作画面や、紙幣処理ユニット１１０、硬貨処理ユニット１５０および包装硬貨収納ユニット１８０の各々に収納されている貨幣の在高に係る情報が操作表示部１０４に表示されるようになっている。また、このような操作表示部１０４において操作者は操作画面における操作ボタンに指を触れることによって制御部１０２に様々な指令を入力することができるようになっている。通信部１０５はターミナル４０やユーザーサーバー４２に対してＬＡＮ４４を介して様々な信号の送受信を行うことができるようになっている。記憶部１０６には、紙幣処理ユニット１１０、硬貨処理ユニット１５０および包装硬貨収納ユニット１８０の各々に収納されている貨幣の在高に係る情報や、貨幣入出金機１００における貨幣の処理履歴等の様々な情報が記憶されるようになっている。印字部１０７は、紙幣処理ユニット１１０、硬貨処理ユニット１５０および包装硬貨収納ユニット１８０の各々に収納されている貨幣の在高に係る情報や、貨幣入出金機１００における貨幣の処理履歴等の様々な情報をレシート等に印字するようになっている。また、識別情報受付部１０８は、操作者によって操作表示部１０４により入力された当該操作者の識別情報等に基づいて、収納カセット３０に収納されている紙幣の授受を行った操作者の識別情報を受け付けるようになっている。このような識別情報受付部１０８の機能の詳細については後述する。
【００４８】
図１に示すように、貨幣釣銭機２００は、紙幣の入金処理および出金処理を行う紙幣処理ユニット２１０と、硬貨の入金処理および出金処理を行う硬貨処理ユニット２５０と、包装硬貨を収納する包装硬貨収納ユニット２８０とを備えている。これらの紙幣処理ユニット２１０、硬貨処理ユニット２５０および包装硬貨収納ユニット２８０の構成の詳細については省略する。
【００４９】
次に、貨幣入出金機１００と貨幣釣銭機２００との間で紙幣の受け渡しを行うための収納カセット３０の構成について説明する。収納カセット３０は略直方体形状のケーシングを有しており、当該ケーシングの内部に紙幣が積層状態で収納されるようになっている。また、上述したように、収納カセット３０は貨幣入出金機１００のカセット装着部１２６および貨幣釣銭機２００のカセット装着部（図示せず）にそれぞれ着脱自在に装着されるようになっている。また、収納カセット３０のケーシングの側面には開口が形成されており、収納カセット３０が貨幣入出金機１００のカセット装着部１２６や貨幣釣銭機２００のカセット装着部に装着されているときに、貨幣入出金機１００の紙幣処理ユニット１１０に設けられた搬送部１３０や貨幣釣銭機２００の紙幣処理ユニット２１０に設けられた搬送部から当該開口を介して紙幣が収納カセット３０の内部に送られたり、収納カセット３０に収納されている紙幣が開口を介して貨幣入出金機１００の紙幣処理ユニット１１０の搬送部１３０や貨幣釣銭機２００の紙幣処理ユニット２１０の搬送部に繰り出されたりするようになっている。
【００５０】
より詳細には、収納カセット３０の内部には、当該収納カセット３０に収納されている紙幣を開口からケーシングの外部に１枚ずつ繰り出す紙幣繰出機構が設けられている。また、収納カセット３０が貨幣入出金機１００のカセット装着部１２６や貨幣釣銭機２００のカセット装着部に装着されているときに、貨幣入出金機１００の紙幣処理ユニット１１０側や貨幣釣銭機２００の紙幣処理ユニット２１０側から収納カセット３０の紙幣繰出機構に動力が伝達されるようになっている。このように、収納カセット３０が貨幣入出金機１００のカセット装着部１２６や貨幣釣銭機２００のカセット装着部から取り出された状態では当該収納カセット３０に収納されている紙幣をケーシングの外部に繰り出させることができないため、収納カセット３０に収納されている紙幣のセキュリティ性を向上させることができる。
【００５１】
また、収納カセット３０のケーシングの側面にはＩＣタグ等の記憶媒体３２が設けられている。そして、収納カセット３０が貨幣入出金機１００のカセット装着部１２６や貨幣釣銭機２００のカセット装着部に装着されているときに、貨幣入出金機１００のカセット装着部１２６に設けられた書込部１２８や貨幣釣銭機２００のカセット装着部に設けられた書込部により記憶媒体３２に様々な情報を書き込んだり、貨幣入出金機１００のカセット装着部１２６に設けられた読取部１２９や貨幣釣銭機２００のカセット装着部に設けられた読取部により記憶媒体３２から様々な情報を読み取ったりすることができるようになっている。
【００５２】
また、このような収納カセット３０は、警送会社１０の警備員が貨幣入出金機１００の紙幣処理ユニット１１０に釣銭準備金としての紙幣を補充する際にも用いられるようになっている。具体的には、貨幣入出金機１００の紙幣処理ユニット１１０に警備員が釣銭準備金としての紙幣を補充する際に、この釣銭準備金としての紙幣が収納されている収納カセット３０を警送会社１０から店舗２０に警備員が運搬する。そして、後述するように警備員が収納カセット３０を貨幣入出金機１００の紙幣処理ユニット１１０に設けられているカセット装着部１２６に装着すると、カセット装着部１２６に装着された収納カセット３０から紙幣が繰り出されて紙幣処理ユニット１１０の内部に収納されるようになる。また、収納カセット３０に設けられた記憶媒体３２には、釣銭準備金としての紙幣が補充されるべき貨幣入出金機１００が設置されている店舗の識別情報である店舗情報が記憶されるようになっている。
【００５３】
次に、警送会社の警備員が本実施の形態の貨幣入出金機１００に貨幣（具体的には、紙幣）を補充したり当該貨幣入出金機１００から売上金としての貨幣を回収したりする動作について図７に示すフローチャートを用いて説明する。
【００５４】
まず、警送会社の警備員は、貨幣釣銭機で用いられる釣銭準備金としての紙幣が収納されている状態で収納カセット３０を警送会社の管理センターから店舗に運搬する。次に、警備員は操作表示部１０４によって自分の識別番号およびパスワードを入力する。このことにより、警備員の識別情報が識別情報受付部１０８により受け付けられ、当該警備員の認証が制御部１０２により行われる。なお、操作表示部１０４によって識別番号およびパスワードを入力することにより警備員の識別情報が識別情報受付部１０８により受け付けられる代わりに、ＩＣカードの読み取りを行うカードリーダが貨幣入出金機１００に設けられており、警備員は所持するＩＣカードをカードリーダによって読み取らせることにより当該警備員の識別情報が識別情報受付部１０８により受け付けられるようになっていてもよい。制御部１０２において警備員の認証が行われると、扉１４０ａ、１７０ａのロックが解除されてこれらの扉１４０ａ、１７０ａを開くことができるようになる。このことにより、警備員は筐体１０１の内部から回収カセット１４０、１７０を取り出してこれらの回収カセット１４０、１７０に収納されている貨幣を回収カセット１４０、１７０ごと回収することができるようになる。
【００５５】
また、警備員が貨幣入出金機１００の紙幣処理ユニット１１０に釣銭準備金としての紙幣を補充する場合には、制御部１０２において警備員の認証が行われた後、釣銭補充金としての紙幣が収納されている収納カセット３０を貨幣入出金機１００の紙幣処理ユニット１１０に設けられているカセット装着部１２６に装着させる（ＳＴＥＰ１の「ＹＥＳ」）。収納カセット３０がカセット装着部１２６に装着されると、この収納カセット３０に設けられている記憶媒体３２から店舗情報を含む情報が読取部１２９により読み取られる（ＳＴＥＰ２）。そして、制御部１０２は、読取部１２９により読み取られた店舗情報に基づいて、カセット装着部１２６に装着された収納カセット３０が自店（すなわち、貨幣入出金機１００が設置されている店舗２０）で使用されるべきものであるか否かを判定する（ＳＴＥＰ３）。具体的には、貨幣入出金機１００の記憶部１０６には、この貨幣入出金機１００が設置されている店舗２０の識別情報である店舗情報が記憶されており、制御部１０２は、読取部１２９により読み取られた店舗情報と、記憶部１０６に記憶されている店舗情報とが一致するか否かを判定する。
【００５６】
読取部１２９により読み取られた店舗情報と、記憶部１０６に記憶されている店舗情報とが一致し、カセット装着部１２６に装着された収納カセット３０が自店で使用されるべきものであると制御部１０２により判定された場合には（ＳＴＥＰ３の「ＹＥＳ」）、収納カセット３０に収納されている紙幣の授受を操作者に促す旨の情報が操作表示部１０４に表示される。具体的には、操作表示部１０４に「受取ボタン」および「取消ボタン」が表示されるようになる（ＳＴＥＰ４）。そして、警備員によって「受取ボタン」が押下されると（ＳＴＥＰ５「ＹＥＳ」）、収納カセット３０に収納されている紙幣の授受の認証を操作表示部１０４により行うことができるようになる。そして、収納カセット３０に収納されている紙幣の授受の認証を警備員が操作表示部１０４により行うと（ＳＴＥＰ７）、カセット装着部１２６に装着された収納カセット３０から紙幣が１枚ずつ貨幣入出金機１００の筐体１０１の内部に繰り出され、搬送部１３０により搬送されるようになる。そして、搬送部１３０により搬送される紙幣は識別部１３２によりその金種等が識別された後、各収納繰出部１３４、１３６に金種毎に収納される（ＳＴＥＰ８）。
【００５７】
また、収納カセット３０に収納されている紙幣の授受が行われたことが印字部１０７によりレシートに印字される（ＳＴＥＰ９）。このことにより、警備員は印字部１０７により印字されたレシートを持ち帰ることによって貨幣入出金機１００に釣銭補充金としての紙幣を補充したことを証明することができるようになる。また、収納カセット３０に収納されている紙幣の授受が行われたことが印字部１０７によりレシートに印字される際に、収納カセット３０に収納されている紙幣の授受を行った操作者の識別情報（すなわち、識別情報受付部１０８により受け付けられた警備員の識別情報）も印字部１０７によりレシートに印字される。このことにより、誰が収納カセット３０に収納されている紙幣を貨幣入出金機１００に補充したかがより明確となる。
【００５８】
また、収納カセット３０に収納されている紙幣の授受が行われた旨の情報や、収納カセット３０に収納されている紙幣の授受を行った操作者の識別情報等の情報が通信部１０５により上位端末等の外部装置（例えば、ターミナル４０やユーザーサーバー４２）に送信されるようになっていてもよい。さらに、収納カセット３０に収納されている紙幣の授受が行われた旨の情報や、収納カセット３０に収納されている紙幣の授受を行った操作者の識別情報等の情報が書込部１２８により収納カセット３０の記憶媒体３２に書き込まれるようになっていてもよい。
【００５９】
一方、カセット装着部１２６に装着された収納カセット３０が自店で使用されるべきものであると制御部１０２により判定され、操作表示部１０４に「受取ボタン」および「取消ボタン」が表示されたときに、警備員によって「受取ボタン」ではなく「取消ボタン」が押下されると（ＳＴＥＰ６「ＹＥＳ」）、貨幣入出金機１００への紙幣の補充動作が取り消されるようになる。
【００６０】
なお、他の態様として、カセット装着部１２６に装着された収納カセット３０が自店で使用されるべきものであると制御部１０２により判定された場合には、収納カセット３０に収納されている紙幣の授受の認証が行われなくても、カセット装着部１２６に装着された収納カセット３０から紙幣が１枚ずつ貨幣入出金機１００の筐体１０１の内部に自動的に繰り出されて各収納繰出部１３４、１３６に金種毎に収納されるようになっていてもよい。
【００６１】
また、読取部１２９により読み取られた店舗情報と、記憶部１０６に記憶されている店舗情報とが一致せず、カセット装着部１２６に装着された収納カセット３０が自店で使用されるべきものではないと制御部１０２により判定された場合には（ＳＴＥＰ３の「ＮＯ」）、誤った収納カセット３０がカセット装着部１２６に装着された旨の警告メッセージが操作表示部１０４に表示される（ＳＴＥＰ１０）。このことにより、警備員は、収納カセット３０に収納されている紙幣が補充されるべき貨幣入出金機１００が設置されている店舗２０とは別の店舗２０の貨幣入出金機１００に紙幣を誤って収納しようとしていたことに気づくことができるようになる。
【００６２】
また、本実施の形態の貨幣入出金機１００では、紙幣処理ユニット１１０において紙幣の少なくとも表裏の向きを反転させることができる反転機構が搬送部１３０に接続されていてもよい。また、この反転機構は、紙幣の表裏の向きに加えて紙幣の天地の向きを反転させることができるようになっていてもよい。また、このような紙幣処理ユニット１１０において各収納繰出部１３４、１３６に収納されている紙幣が警送会社の警備員によって回収される際に、通常回収モード、時短回収モードおよび表裏方向揃え回収モードのうちいずれの回収モードで処理を行うかを操作表示部１０４により選択することができるようになっていてもよい。ここで、警備員によって操作表示部１０４により通常回収モードが選択された場合には、各収納繰出部１３４、１３６から紙幣が１枚ずつ搬送部１３０に繰り出され、当該搬送部１３０により搬送される間に識別部１３２により識別され、そして識別部１３２により識別された紙幣が搬送部１３０により回収カセット１４０に送られるようになる。一方、警備員によって操作表示部１０４により時短回収モードが選択された場合には、各収納繰出部１３４、１３６から紙幣が１枚ずつ搬送部１３０に繰り出されるがこの繰り出された紙幣は識別部１３２により識別されることなく搬送部１３０により回収カセット１４０に送られるようになる。ここで、搬送部１３０により紙幣が搬送される間に識別部１３２により識別される場合には、周回搬送部１３０ａにおいて紙幣を少なくとも一周させる必要があるが、識別部１３２により紙幣が識別されない場合には紙幣を周回搬送部１３０ａにおいて一周させる必要がなくなるため各収納繰出部１３４、１３６から回収カセット１４０に紙幣を送る時間を短縮することができるようになる。
【００６３】
また、警備員によって操作表示部１０４により表裏方向揃え回収モードが選択された場合には、各収納繰出部１３４、１３６から紙幣が１枚ずつ搬送部１３０に繰り出され、識別部１３２により識別された後に搬送部１３０により反転機構に送られることによって当該反転機構において紙幣の表裏の向きが選択的に反転させられた後に回収カセット１４０に送られる。具体的には、各収納繰出部１３４、１３６から繰り出された２枚目以降の紙幣について、各収納繰出部１３４、１３６から繰り出された１枚目の紙幣の表裏の向きと異なるものは反転機構においてその表裏の向きが反転させられるようになる。このことにより、回収カセット１４０に集積される複数の紙幣はその表裏の向きが揃ったものとなる。また、反転機構が紙幣の表裏の向きに加えて紙幣の天地の向きを反転させることができるものである場合には、各収納繰出部１３４、１３６から繰り出された２枚目以降の紙幣について、各収納繰出部１３４、１３６から繰り出された１枚目の紙幣の表裏の向きおよび天地の向きのうち少なくとも一方が異なるものは反転機構においてその表裏の向きおよび天地の向きのうち少なくとも一方または両方が反転させられるようになる。このことにより、回収カセット１４０に集積される複数の紙幣はその表裏および天地の向きの両方が揃ったものとなる。なお、このような表裏方向揃え回収モードが実行される場合には、反転機構において少なくとも紙幣の表裏の向きを選択的に反転させるのに時間がかかるため、上述した通常回収モードや時短回収モードと比較して各収納繰出部１３４、１３６から回収カセット１４０に紙幣を送る時間が長くなる。しかしながら、表裏方向揃え回収モードが実行される場合には、回収カセット１４０に集積される複数の紙幣は少なくともその表裏の向きが揃ったものとなるため、回収された紙幣が収納されている回収カセット１４０が店舗２０から警送会社１０の運搬された後、警送会社１０にて回収カセット１４０から取り出された紙幣の整理にかかる時間を短縮することができ、よって警送会社１０における紙幣の整理に係る作業費用等の節約が可能となる。
【００６４】
また、反転機構が設けられていない場合でも、操作表示部１０４により表裏方向揃え回収モードを選択することができるようになっていてもよい。この場合には、各収納繰出部１３４、１３６から繰り出された２枚目以降の紙幣について、各収納繰出部１３４、１３６から繰り出された１枚目の紙幣の表裏の向きと異なるものは搬送部１３０により紙幣払出部１２２や出金リジェクト部１２４に搬送され、回収カセット１４０には送られない。このため、回収カセット１４０に集積される複数の紙幣はその表裏の向きが揃ったものとなる。
【００６５】
また、本実施の形態では、複数の貨幣入出金機１００において回収カセット１４０、１７０が共通化されておりこれらの回収カセット１４０、１７０は様々な貨幣入出金機１００において使い回されるようになっている。このため、従来では、各々の貨幣入出金機１００において、回収カセット１４０、１７０の管理を行うのが難しいという問題があった。これに対し、本実施の形態では、回収カセット１４０、１７０のケーシングの側面にＩＣタグ等の記憶媒体が設けられるようになっている。また、紙幣処理ユニット１１０や硬貨処理ユニット１５０において各回収カセット１４０、１７０が収容される箇所には、紙幣処理ユニット１１０や硬貨処理ユニット１５０に収容された各回収カセット１４０、１７０の記憶媒体から情報を読み取る読取部や当該記憶媒体に情報を書き込む書込部が設けられている。また、各回収カセット１４０、１７０に設けられている記憶媒体には、これらの回収カセット１４０、１７０の識別番号が記憶されるようになっている。また、この場合、貨幣入出金機１００において紙幣や硬貨の回収処理が警送会社１０の警備員によって行われて回収カセット１４０や回収カセット１７０が使用される度に、回収カセット１４０や回収カセット１７０の使用回数が上記の書込部によって回収カセット１４０や回収カセット１７０に設けられている記憶媒体に書き込まれるようになっている。
【００６６】
また、長期間の使用により回収カセット１４０、１７０が損傷、摩耗等すると、これらの回収カセット１４０、１７０を紙幣処理ユニット１１０や硬貨処理ユニット１５０に収容したときや搬送部１３０や出金搬送部１６２から回収カセット１４０、１７０に紙幣や硬貨を送ったときにエラーが発生する場合がある。ここで、このようなエラーが発生した場合には、エラーが発生した日時や内容等の履歴が上記の書込部によって回収カセット１４０や回収カセット１７０に設けられている記憶媒体に書き込まれる。
【００６７】
このように、紙幣処理ユニット１１０や硬貨処理ユニット１５０に収容された各回収カセット１４０、１７０の記憶媒体から読取部によって情報を読み取ることにより、回収カセット１４０、１７０の使用頻度が多い場合には交換時期が近づいていると判断されるため回収カセット１４０、１７０の交換を行う。具体的には、操作表示部１０４において回収処理開始の指令が警備員により入力されたときに、回収カセット１４０、１７０の使用回数が所定の閾値よりも多い場合には、回収カセット１４０、１７０の交換を促す旨のメッセージが操作表示部１０４に表示されるようになる。このことにより、回収カセット１４０、１７０に関する上記のトラブルを事前に防止することができるようになる。また、読取部により各回収カセット１４０、１７０の記憶媒体から読み取られた情報に基づいて、エラーが発生する頻度が高い回収カセット１４０、１７０については他の回収カセット１４０、１７０と交換するようにする。この場合にも、回収カセット１４０、１７０に関する上記のエラーを事前に防止することができるようになる。
【００６８】
また、貨幣入出金機１００の紙幣処理ユニット１１０や硬貨処理ユニット１５０と回収カセット１４０、１７０との間には相性があり、例えばある貨幣入出金機１００の紙幣処理ユニット１１０には回収カセット１４０を収容させても問題ないが別の貨幣入出金機１００の紙幣処理ユニット１１０に同じ回収カセット１４０を収容させたときにはエラーが発生しやすくなる場合がある。このため、本実施の形態では、各貨幣入出金機１００の識別情報と、各回収カセット１４０、１７０の識別情報とを関連付けて管理するようにしてもよい。この場合には、各貨幣入出金機１００において、相性の良い回収カセット１４０、１７０を紙幣処理ユニット１１０や硬貨処理ユニット１５０に収容させることを操作者に促すメッセージ等を操作表示部１０４に表示させることができるようになる。
【００６９】
また、回収カセット１４０、１７０として、材料が互いに異なる複数の種類のものが用いられる場合には、回収カセット１４０、１７０の記憶媒体に当該回収カセット１４０、１７０の材質（例えば、金属やプラスチック等）に係る情報が記憶されるようになっていてもよい。このことにより、読取部により各回収カセット１４０、１７０の記憶媒体から読み取られた情報に基づいて、回収カセット１４０、１７０の材質と、エラーが発生する頻度との関係に係る情報を取得することができるようになるため、今後の貨幣入出金機１００の開発の指針とすることができるようになる。また、回収カセット１４０、１７０に限定されることなく、貨幣入出金機１００において共通して用いられる部品にＩＣタグ等の記憶媒体を設けることにより、これらの部品の材質等の情報と、これらの部品に関するエラーが発生する頻度との関係に係る情報を取得するようにしてもよい。
【００７０】
以上のような構成からなる本実施の形態の貨幣入出金機１００およびこのような貨幣入出金機１００による貨幣処理方法によれば、読取部１２９は、貨幣入出金機１００の処理部（例えば、搬送部１３０）により処理される貨幣（具体的には、紙幣）を収納するための持ち運び可能な収納カセット３０（収納部）に設けられている記憶媒体３２から店舗情報を含む情報を読み取り、操作表示部１０４（報知部）は、読取部１２９により読み取られた店舗情報に基づいて、収納カセット３０が自店で使用されるべきものであるか否かを報知するようになっている。このことにより、収納カセット３０が自店で使用されるべきものであるか否かをチェックするための専用の器具を持たなくても操作者（具体的には、例えば警送会社１０の警備員）は収納カセット３０が自店で使用されるべきものであるか否かを知ることができる。
【００７１】
より詳細に説明すると、従来では、店舗のバックヤード領域に設置される貨幣入出金機に貨幣を補充するにあたり、補充されるべき貨幣が収納されているカセットを警送会社の警備員が輸送車により警送会社の現金処理センターから店舗に輸送し、店舗において警送会社の警備員から店舗の店員等にカセットが引き渡されていた。また、このようなカセットの授受が行われる際に、警備員が所持しているハンディターミナル等によってカセットに付けられているバーコード等が読み取られることにより、警送会社の警備員から店舗の店員等に引き渡されるカセットが店舗に適合しているか否かの確認が行われていた。具体的には、カセットに付けられているバーコード等には、当該カセットに収納されている貨幣が補充されるべき貨幣入出金機の店舗情報が記憶されており、このバーコード等がハンディターミナル等によって読み取られると、読み取られた貨幣入出金機の店舗情報と、実際にカセットが警送会社の警備員から店舗の店員等に引き渡された店舗の情報とが比較されるようになっていた。しかしながら、このような確認方法では、専用のハンディターミナル等を警送会社の警備員に持たせる必要があるため費用がかかったり、ハンディターミナル等の持ち運びの際に破損や紛失等のトラブルが生じてしまうおそれがあったりするという問題があった。また、カセットからバーコード等が剥がれた場合には、カセットに収納されている貨幣が自店の貨幣入出金機に補充されるべきものであるか否かを確認することができないという問題があった。これに対し、本実施の形態では、収納カセット３０に設けられている記憶媒体３２から読取部１２９によって店舗情報を含む情報を読み取り、この読み取られた店舗情報に基づいて、収納カセット３０が自店で使用されるべきものであるか否かを操作表示部１０４により報知するため、上述した従来技術の問題点を解消することができる。
【００７２】
なお、本実施の形態において、貨幣を収納するための持ち運び可能な収納部は、紙幣を収納する収納カセット３０に限定されることはない。本実施の形態において、貨幣を収納するための持ち運び可能な収納部として、硬貨を収納する収納カセットが用いられ、この収納カセットに、店舗情報を含む情報を記憶する記憶媒体が設けられていてもよい。この場合には、硬貨を収納する収納カセットが硬貨処理ユニット１５０に装着されたときに、当該収納カセットに設けられている記憶媒体から店舗情報が読み取られることにより、この読み取られた店舗情報に基づいて、収納カセットが自店で使用されるべきものであるか否かが操作表示部１０４により報知されるようになっていてもよい。また、収納カセット３０等の収納部が自店で使用されるべきものであるか否かを報知する報知部は、収納カセット３０等の収納部が自店で使用されるべきものであるか否かに係る情報を視覚的に表示する操作表示部１０４に限定されることはない。このような報知部として、収納カセット３０等の収納部が自店で使用されるべきものであるか否かに係る情報を音声により操作者に報知するスピーカ等が用いられてもよい。
【００７３】
また、本実施の形態において、収納カセット３０に設けられている記憶媒体３２から情報を読み取る読取部がカセット装着部１２６に設けられるのではなく、筐体１０１の表面に読取部が設けられたり、筐体１０１とは別に読取部が設けられたりしてもよい。この場合には、収納カセット３０をカセット装着部１２６に装着させなくても、カセット装着部１２６とは別の場所に設けられた読取部によって収納カセット３０に設けられた記憶媒体３２から情報を読み取らせることにより、この読み取られた店舗情報に基づいて、収納カセット３０が自店で使用されるべきものであるか否かが操作表示部１０４により報知されるようになる。
【００７４】
また、貨幣を収納するための持ち運び可能な収納部として、カセットではなく麻袋等の収納袋が用いられ、紙幣や硬貨がこの収納袋に収納されるようになっていてもよい。この場合には、このような収納袋に店舗情報を含む情報を記憶するＩＣタグ等の記憶媒体が設けられるようになる。このことにより、警送会社１０の警備員が釣銭補充金としての紙幣や硬貨を貨幣入出金機１００に補充する際に、釣銭補充金としての紙幣や硬貨が収納されている収納袋を警送会社１０から店舗２０に運搬した後、この収納袋に設けられた記憶媒体から読取部によって情報を読み取らせることにより、この読み取られた店舗情報に基づいて、収納袋が自店で使用されるべきものであるか否かが操作表示部１０４により報知される。
【００７５】
また、本実施の形態の貨幣入出金機１００においては、上述したように、操作表示部１０４は、収納カセット３０に収納されている紙幣の授受の認証を行うための操作部としても機能するようになっており、操作表示部１０４により収納カセット３０が自店で使用されるべきものであることが報知されたときにおいてのみ、収納カセット３０に収納されている紙幣の授受の認証を操作部により行うことができるようになっている。また、貨幣入出金機１００には、収納カセット３０に収納されている紙幣の授受の認証が行われた旨の情報を印字するための印字部１０７が設けられている。この場合には、収納カセット３０に収納されている紙幣の授受の認証が行われた旨の情報を例えばレシート等に印字することによって、警送会社１０の警備員は貨幣入出金機１００に釣銭補充金としての紙幣を補充したことを証明することができるようになる。また、貨幣入出金機１００には、収納カセット３０に収納されている紙幣の授受を行った操作者の識別情報を受け付ける識別情報受付部１０８が設けられており、印字部１０７は、収納カセット３０に収納されている紙幣の授受の認証が行われた旨の情報を印字する際に、識別情報受付部１０８により受け付けられた当該紙幣の授受を行った操作者の識別情報も印字するようになっている。この場合には、印字部１０７によりレシート等に操作者の識別情報も印字されるため、特定の操作者が貨幣入出金機１００に釣銭補充金としての紙幣を補充したことを証明することができるようになる。
【００７６】
また、本実施の形態の貨幣入出金機１００においては、上述したように、収納カセット３０に収納されている紙幣の授受の認証が行われた旨の情報を当該収納カセット３０の記憶媒体３２に書き込むための書込部１２８、および収納カセット３０に収納されている紙幣の授受の認証が行われた旨の情報を外部装置に送信するための通信部１０５がそれぞれ設けられている。また、本実施の形態の貨幣入出金機１００においては、上述したように、読取部１２９により読み取られた店舗情報に基づいて、収納カセット３０が自店で使用されるべきものであると判定されたときに、収納カセット３０に収納されている紙幣の授受を操作者に促す旨の情報が操作表示部１０４に表示されるようになっている。
【００７７】
また、本実施の形態の貨幣入出金機１００においては、上述したように、読取部１２９により読み取られた店舗情報に基づいて、収納カセット３０が自店で使用されるべきものであると判定されたときに、収納カセット３０から搬送部１３０等の処理部に紙幣が自動で送られるようになっていてもよい。この場合には、収納カセット３０に収納されている紙幣の授受の認証を行わなくても、収納カセット３０から搬送部１３０等の処理部に紙幣を自動で送ることができる。
【００７８】
また、本実施の形態による貨幣入出金機１００は、上述したような態様に限定されることはなく、様々な変更を加えることができる。
【００７９】
例えば、上述した貨幣入出金機１００と、この貨幣入出金機１００に通信可能に接続され、当該貨幣入出金機１００の管理を行う管理装置（例えば、上位端末）とにより、本発明に係る貨幣処理システムが構成されるようになっていてもよい。この場合は、貨幣入出金機１００の制御部１０２ではなく、上位端末等の管理装置に設けられた制御部が、読取部１２９により収納カセット３０の記憶媒体３２から読み取られた店舗情報に基づいて、収納カセット３０が自店で使用されるべきものであるか否かを判定するようになっていてもよい。また、このような制御部による判定結果に基づいて、収納カセット３０が自店で使用されるべきものであるか否かが報知部により報知されるが、本発明に係る貨幣処理システムでは、このような報知部は操作表示部１０４に限定されることはなく、貨幣入出金機１００とは別に設けられたモニタ等によって収納カセット３０が自店で使用されるべきものであるか否かが報知されるようになっていてもよい。
【００８０】
また、収納カセット３０に設けられた記憶媒体３２に、当該収納カセット３０に収納されている、警送会社の警備員によって貨幣入出金機１００の紙幣処理ユニット１１０に補充されるべき釣銭準備金としての紙幣に係る情報（具体的には、例えば紙幣の金種毎の枚数に係る情報）が記憶されるようになっていてもよい。この場合には、警送会社の警備員によって収納カセット３０がカセット装着部１２６に装着されたときに、読取部１２９によって記憶媒体３２から釣銭準備金としての紙幣に係る情報も読み取られ、この読み取られた情報が操作表示部１０４に表示されるようになる。このことにより、警備員は、貨幣入出金機１００の紙幣処理ユニット１１０に補充される釣銭準備金としての紙幣に係る情報をチェックすることができるようになる。また、操作表示部１０４に表示された、釣銭準備金としての紙幣に係る情報と、収納カセット３０に収納されている紙幣が各収納繰出部１３４、１３６に収納される際に識別部１３２により識別された情報とが一致しない場合には、警備員は操作表示部１０４により各収納繰出部１３４、１３６に収納された紙幣の情報を訂正することができるようになっていてもよい。この場合には、訂正された紙幣の情報が印字部１０７により印字されるようになっていてもよい。また、紙幣処理ユニット１１０に補充されるべき釣銭準備金としての紙幣が収納されている収納カセット３０がカセット装着部１２６に装着された後、この収納カセット３０に収納されている紙幣が自動的に紙幣処理ユニット１１０に補充されるのではなく、収納カセット３０から搬送部１３０に繰り出された紙幣を１０枚ずつ紙幣払出部１２２の紙幣取出口１２２ａから筐体１０１の外部に払い出し、警備員がこの払い出された紙幣を手動で計数するようになっていてもよい。
【００８１】
また、図１乃至図７に示すような貨幣管理システム１が、自社の資金を複数の店舗に配金する運用を行っている会社に適用されるようになっていてもよい。この場合には、警送会社の警備員ではなく、自社における特定の権限を有する操作者が、貨幣入出金機１００の紙幣処理ユニット１１０に補充されるべき釣銭準備金としての紙幣が収納されている収納カセット３０を自社の管理センターから各店舗に運搬し、各店舗においてこの操作者が収納カセット３０を紙幣処理ユニット１１０のカセット装着部１２６に装着するようになる。
【００８２】
また、本発明に係る貨幣処理機として、図８乃至図１０に示す貨幣処理装置３０１が用いられてもよい。ここで、図８は、本実施の形態による他の構成の貨幣処理装置３０１の外観を示す斜視図であり、図９は、図８に示す貨幣処理装置３０１における紙幣処理部４００の内部構成を側方から見たときの構成図である。また、図１０は、図８に示す貨幣処理装置３０１における制御系の構成を示す機能ブロック図である。
【００８３】
図８に示すように、貨幣処理装置３０１は、紙幣の入金処理および出金処理を行う紙幣処理部４００と、硬貨の入金処理および出金処理を行う硬貨処理部５００と、包装硬貨の出金処理を行う包装硬貨処理部６００とを備えている。
【００８４】
図９に示すように、紙幣処理部４００の筐体前面側上部には、入金する紙幣の投入および出金する紙幣の排出を行う紙幣入出金口４２０が設けられている。紙幣入出金口４２０は、紙幣入金口および紙幣出金口として機能する。また、紙幣入出金口４２０には、開閉可能なシャッタ機構４０１が設けられており、通常は、紙幣入出金口４２０がシャッタによって閉止されている。一方、紙幣を入出金する際には、シャッタ機構４０１によってシャッタが開いて紙幣入出金口４２０が開放され、紙幣を入出金できるようになっている。
【００８５】
このような紙幣処理部４００における紙幣の入金処理について説明する。操作部３１２（後述）を操作して入金処理を開始すると、シャッタ機構４０１によってシャッタが開かれ、紙幣入出金口４２０が開放される。入金する紙幣を紙幣入出金口４２０に投入すると、再びシャッタが閉じて、紙幣入出金口４２０に投入された紙幣が、紙幣繰出機構４２１によって、１枚ずつ紙幣搬送部４３０を構成する紙幣搬送路上に繰り出される。紙幣搬送路上に繰り出された紙幣は、時計回りに紙幣を搬送するループ状の紙幣搬送路を紙幣識別部４３１に向けて搬送される。紙幣搬送部４３０は、紙幣搬送路と、紙幣搬送路の複数箇所に設けられた分岐部材４３６とを含み、紙幣搬送路上を搬送する紙幣を分岐部材４３６によって分岐搬送路へ送ることにより、紙幣の搬送先を制御できるようになっている。
【００８６】
紙幣識別部４３１は、紙幣搬送部４３０によって搬送される紙幣の金種、正損、真偽等を識別して計数する機能を有する。紙幣識別部４３１を経て、ループ状の紙幣搬送路を時計回りに搬送される紙幣のうち、紙幣識別部４３１によって識別できない紙幣、正常な紙幣ではないと識別された紙幣、搬送異常（斜行、重送、連鎖等）が検出された紙幣等は、入金できないリジェクト紙幣として返却するため、装置前方へ向けて搬送され、入金リジェクト部４２４に集積される。一方、入金可能な正常紙幣は、紙幣一時保留部４４２に一時保留される。
【００８７】
紙幣入出金口４２０に投入された全ての紙幣を紙幣識別部４３１によって識別して、紙幣一時保留部４４２または入金リジェクト部４２４に集積した後、表示部３１１には、入金紙幣の識別計数結果が表示される。表示を確認した利用者が操作部３１２により入金処理をキャンセルすると、紙幣一時保留部４４２に一時保留されていた紙幣が紙幣繰出機構４４３によって紙幣搬送路上へ繰り出されて紙幣入出金口４２０へ返却される。一方、利用者が入金処理を確定する操作を行うと、紙幣一時保留部４４２に一時保留されていた紙幣は、紙幣搬送路上へ繰り出されて、対応する金種別紙幣収納部４４０に収納される。例えば、金種別紙幣収納部４４０ａに一万円札を収納して、金種別紙幣収納部４４０ｂに五千円札を収納して、金種別紙幣収納部４４０ｃに千円札を収納する。
【００８８】
このとき、各金種別紙幣収納部４４０に割り当てられていない二千円札等の紙幣、金種別紙幣収納部４４０に割り当てられている金種の紙幣であるが出金処理に利用できない傷んだ紙幣（損券）等は、紙幣回収カセット４４４に収納される。紙幣回収カセット４４４は、装置前面の扉４０３を開いて装置外へ取り外せるように、装置に対して脱着可能に設けられており、金種別紙幣収納部４４０から回収する紙幣の収納にも利用することができる。具体的には、回収する紙幣を金種別紙幣収納部４４０から繰り出して、紙幣回収カセット４４４に収納した後、紙幣回収カセット４４４を装置から取り外して回収する。また、紙幣回収カセット４４４にも紙幣繰出機構４４５が設けられており、紙幣回収カセット４４４に補充用の紙幣を収納しておいて、補充用の紙幣を紙幣搬送路に繰り出して金種別紙幣収納部４４０に補充することも可能となっている。
【００８９】
次に、紙幣処理部４００における紙幣の出金処理について説明する。表示部３１１に表示される情報を確認しながら操作部３１２を操作して出金処理開始の指示を入力し、出金する紙幣の金種および枚数を指定すると、指定された金種および枚数の紙幣が、対応する金種別紙幣収納部４４０から１枚ずつ繰り出されて、ループ状の紙幣搬送路上を紙幣識別部４３１に向けて反時計回りに搬送される。紙幣の繰り出しは、各金種別紙幣収納部４４０に設けられている紙幣繰出機構４４１によって行われる。紙幣識別部４３１で金種等を識別された紙幣は、引き続き反時計回りに紙幣入出金口４２０へ向けて搬送される。そして、紙幣識別部４３１によって出金できないと判定された紙幣は、紙幣入出金口４２０へ搬送されることなく途中で分岐され、リジェクト紙幣として出金リジェクト部４２６に集積される。一方、出金可能と識別された紙幣は、紙幣入出金口４２０に集積される。全ての出金紙幣を紙幣入出金口４２０に集積し終えると、シャッタ機構４０１によってシャッタが開かれる。利用者が、紙幣入出金口４２０の全ての紙幣を抜き取ると、シャッタ機構４０１が再びシャッタを閉じて出金処理を完了する。
【００９０】
また、図８および図９に示すように、紙幣搬送部４３０にはカセット装着部４５０が接続されている。カセット装着部４５０は紙幣処理部４００の前面側に設けられており、紙幣を収納するとともに収納されている紙幣を繰り出し可能な収納カセットをカセット装着部４５０に装着させたりこのカセット装着部４５０から収納カセットを取り出したりすることができるようになっている。ここで、カセット装着部４５０に装着可能な収納カセットは、図１乃至図７に示す貨幣管理システム１で用いられる収納カセット３０と略同一の構成となっている。また、カセット装着部４５０には、当該カセット装着部４５０に装着された収納カセットに設けられているＩＣタグ等の記憶媒体に様々な情報を書き込む書込部および当該記憶媒体から様々な情報を読み取る読取部がそれぞれ設けられている。
【００９１】
図８に示すように、硬貨処理部５００は略直方体形状の筐体を有し、筐体上面には、硬貨を投入するための硬貨入金口５０１が設けられている。硬貨入金口５０１は、シャッタ機構および供給ホッパ（図示せず）を含み、通常は供給ホッパがシャッタにより閉止された状態にあり、硬貨を入金する際には、シャッタが開いて、上面が開放された供給ホッパ内に多数の硬貨を投入できるようになっている。また、硬貨処理部５００の筐体下部には硬貨出金箱５０４が設けられている。このような硬貨処理部５００の詳細については説明を省略する。
【００９２】
図８に示すように、包装硬貨処理部６００の筐体前面側の上部には、シャッタ機構を有する包装硬貨出金口６０１が設けられており、通常は、包装硬貨出金口６０１がシャッタによって閉止されている。また、包装硬貨処理部６００の筐体内には、包装硬貨を整列状態で収納するための複数の包装硬貨収納トレイ（図示せず）が設けられている。そして、包装硬貨を出金する際には、シャッタが開いて、包装硬貨収納トレイから繰り出された包装硬貨を包装硬貨出金口６０１から出金できるようになっている。このような包装硬貨処理部６００の詳細については説明を省略する。
【００９３】
図１０は、貨幣処理装置３０１における制御系の構成を示すブロック図である。貨幣処理装置３０１は、図８および図９に示す表示部３１１、操作部３１２、プリンタ３２０、紙幣処理部４００、硬貨処理部５００および包装硬貨処理部６００の他に、通信部３３０と、記憶部３４０と、これら各部を制御する制御部３１０とを有している。
【００９４】
操作部３１２はキーボード等からなり、貨幣処理に関する設定情報や指示情報等、各種情報を入力するために利用する。また、表示部３１１は、液晶表示部等からなり、貨幣処理に関する各種情報を出力して表示するために利用する。プリンタ３２０は、入金処理や出金処理等、貨幣処理装置３０１で行われた貨幣処理に関する情報を印字するために利用する。
【００９５】
通信部３３０は、ＰＯＳサーバ等の外部装置との間でデータを送受信する機能を有する。また、記憶部３４０は半導体メモリやハードディスク等からなる不揮発性の記憶装置であり、制御部３１０が各部を制御するために必要なプログラムや、入金処理に関する設定、補充処理に関する設定等、各種設定情報の保存に利用する。その他、記憶部３４０には、出金処理に関する情報、入金処理に関する情報、レジ係の認証処理に必要な情報等、各種情報が保存されている。
【００９６】
また、図８乃至図１０に示す貨幣処理装置３０１でも、紙幣処理部４００のカセット装着部４５０に装着可能となっている収納カセットは、警送会社の警備員が貨幣処理装置３０１の紙幣処理部４００に釣銭準備金としての紙幣を補充する際に用いられるようになっている。具体的には、貨幣処理装置３０１の紙幣処理部４００に警備員が釣銭準備金としての紙幣を補充する際に、この釣銭準備金としての紙幣が収納されている収納カセットを警送会社から店舗に警備員が運搬する。そして、警備員が収納カセットを貨幣処理装置３０１の紙幣処理部４００に設けられているカセット装着部４５０に装着すると、カセット装着部４５０に装着された収納カセットから紙幣が繰り出されて紙幣処理部４００の内部に収納されるようになる。また、収納カセットに設けられた記憶媒体には、釣銭準備金としての紙幣が補充されるべき貨幣処理装置３０１が設置されている店舗の識別情報である店舗情報が記憶されるようになっている。
【００９７】
次に、警送会社の警備員が本実施の形態の貨幣処理装置３０１に貨幣（具体的には、紙幣）を補充したり当該貨幣処理装置３０１から売上金としての貨幣を回収したりする動作の詳細について以下に説明する。
【００９８】
まず、警送会社の警備員は、貨幣釣銭機で用いられる釣銭準備金としての紙幣が収納されている状態で収納カセットを警送会社の管理センターから店舗に運搬する。次に、警備員は操作部３１２によって自分の識別番号およびパスワードを入力する。このことにより、警備員の識別情報が受け付けられ、当該警備員の認証が制御部３１０により行われる。なお、操作部３１２によって識別番号およびパスワードを入力することにより警備員の識別情報が受け付けられる代わりに、ＩＣカードの読み取りを行うカードリーダが貨幣処理装置３０１に設けられており、警備員は所持するＩＣカードをカードリーダによって読み取らせることにより当該警備員の識別情報が受け付けられるようになっていてもよい。制御部３１０において警備員の認証が行われると、扉４０３のロックが解除されてこの扉４０３を開くことができるようになる。このことにより、警備員は紙幣処理部４００の筐体の内部から紙幣回収カセット４４４を取り出してこの紙幣回収カセット４４４に収納されている紙幣を紙幣回収カセット４４４ごと回収することができるようになる。
【００９９】
また、警備員が貨幣処理装置３０１の紙幣処理部４００に釣銭準備金としての紙幣を補充する場合には、制御部３１０において警備員の認証が行われた後、釣銭補充金としての紙幣が収納されている収納カセットを貨幣処理装置３０１の紙幣処理部４００に設けられているカセット装着部４５０に装着させる。収納カセットがカセット装着部４５０に装着されると、この収納カセットに設けられている記憶媒体から店舗情報を含む情報が読取部により読み取られる。そして、制御部３１０は、読取部により読み取られた店舗情報に基づいて、カセット装着部４５０に装着された収納カセットが自店（すなわち、貨幣処理装置３０１が設置されている店舗）で使用されるべきものであるか否かを判定する。具体的には、貨幣処理装置３０１の記憶部３４０には、この貨幣処理装置３０１が設置されている店舗の識別情報である店舗情報が記憶されており、制御部３１０は、読取部により読み取られた店舗情報と、記憶部３４０に記憶されている店舗情報とが一致するか否かを判定する。
【０１００】
カセット装着部４５０に設けられた読取部により読み取られた店舗情報と、記憶部３４０に記憶されている店舗情報とが一致し、カセット装着部４５０に装着された収納カセットが自店で使用されるべきものであると制御部３１０により判定された場合には、収納カセットに収納されている紙幣の授受を操作者に促す旨の情報が表示部３１１に表示される。そして、警備員によって操作部３１２により収納カセットに収納されている紙幣の授受を行う旨の指令が入力されると、収納カセットに収納されている紙幣の授受の認証が行われる。収納カセットに収納されている紙幣の授受の認証が警備員により行われると、カセット装着部４５０に装着された収納カセットから紙幣が１枚ずつ紙幣処理部４００の筐体の内部に繰り出され、紙幣搬送部４３０により搬送されるようになる。そして、紙幣搬送部４３０により搬送される紙幣は紙幣識別部４３１によりその金種等が識別された後、紙幣一時保留部４４２に一時保留される。収納カセットから繰り出された紙幣を紙幣識別部４３１によって識別して、紙幣一時保留部４４２に集積した後、表示部３１１には、入金紙幣の識別計数結果が表示される。表示を確認した警備員が操作部３１２により入金処理をキャンセルすると、紙幣一時保留部４４２に一時保留されていた紙幣が紙幣繰出機構４４３によって紙幣搬送路上へ繰り出されて収納カセットに返却される。一方、警備員が入金処理を確定する操作を行うと、紙幣一時保留部４４２に一時保留されていた紙幣は、紙幣搬送路上へ繰り出されて、対応する金種別紙幣収納部４４０に収納される。
【０１０１】
その後、収納カセットに収納されている紙幣の授受が行われたことがプリンタ３２０によりレシートに印字される。このことにより、警備員はプリンタ３２０により印字されたレシートを持ち帰ることによって貨幣処理装置３０１の紙幣処理部４００に釣銭補充金としての紙幣を補充したことを証明することができるようになる。また、収納カセットに収納されている紙幣の授受が行われたことがプリンタ３２０によりレシートに印字される際に、収納カセットに収納されている紙幣の授受を行った操作者の識別情報（すなわち、操作部３１２等により入力された警備員の識別情報）もプリンタ３２０によりレシートに印字される。このことにより、誰が収納カセットに収納されている紙幣を貨幣処理装置３０１の紙幣処理部４００に補充したかがより明確となる。また、収納カセットに収納されている紙幣の授受が行われた旨の情報や、収納カセットに収納されている紙幣の授受を行った操作者の識別情報等の情報が通信部３３０により上位端末等の外部装置に送信されるようになっていてもよい。さらに、収納カセットに収納されている紙幣の授受が行われた旨の情報や、収納カセットに収納されている紙幣の授受を行った操作者の識別情報等の情報が書込部により収納カセットの記憶媒体に書き込まれるようになっていてもよい。一方、カセット装着部４５０に装着された収納カセットが自店で使用されるべきものであると制御部３１０により判定されたときに、警備員によって操作部３１２により紙幣の授受を取り消す旨の指令が入力されると、貨幣処理装置３０１の紙幣処理部４００への紙幣の補充動作が取り消されるようになる。
【０１０２】
なお、他の態様として、カセット装着部４５０に装着された収納カセットが自店で使用されるべきものであると制御部３１０により判定された場合には、収納カセットに収納されている紙幣の授受の認証が行われなくても、カセット装着部４５０に装着された収納カセットから紙幣が１枚ずつ貨幣処理装置３０１の紙幣処理部４００の内部に自動的に繰り出されるようになっていてもよい。
【０１０３】
また、カセット装着部４５０に設けられた読取部により読み取られた店舗情報と、記憶部３４０に記憶されている店舗情報とが一致せず、カセット装着部４５０に装着された収納カセットが自店で使用されるべきものではないと制御部３１０により判定された場合には、誤った収納カセットがカセット装着部４５０に装着された旨の警告メッセージが表示部３１１に表示される。このことにより、警備員は、収納カセットに収納されている紙幣が補充されるべき貨幣処理装置３０１が設置されている店舗とは別の店舗の貨幣処理装置３０１に誤って紙幣を収納しようとしていたことに気づくことができるようになる。
【０１０４】
以上のような構成からなる貨幣処理装置３０１によれば、カセット装着部４５０に設けられている読取部は、処理部（例えば、紙幣搬送部４３０）により処理される貨幣（具体的には、紙幣）を収納するための持ち運び可能な収納カセット（収納部）に設けられている記憶媒体から店舗情報を含む情報を読み取り、表示部３１１（報知部）は、読取部により読み取られた店舗情報に基づいて、収納カセットが自店で使用されるべきものであるか否かを報知するようになっている。このことにより、収納カセットが自店で使用されるべきものであるか否かをチェックするための専用の器具を持たなくても操作者（具体的には、例えば警送会社の警備員）は収納カセットが自店で使用されるべきものであるか否かを知ることができる。
【０１０５】
また、本発明に係る貨幣処理機として、図１１乃至図１３に示す有価媒体処理装置７１０が用いられてもよい。ここで、図１１は、本実施の形態による更に他の構成の有価媒体処理装置７１０の外観を示す斜視図であり、図１２は、図１１に示す有価媒体処理装置７１０における紙葉類処理機構７２０および硬貨処理機構７５０の内部構成を側方から見たときの構成図である。また、図１３は、図１１に示す有価媒体処理装置７１０における制御系の構成を示す機能ブロック図である。
【０１０６】
図１１および図１２に示すように、本実施の形態による有価媒体処理装置７１０は略直方体形状の筐体７１２を有しており、この筐体７１２内には、紙幣や商品券等の紙葉類の処理を行う紙葉類処理機構７２０および硬貨の処理を行う硬貨処理機構７５０がそれぞれ設けられている。また、図１１等に示すように、有価媒体処理装置７１０を正面から見て右側部分には上方から順に紙葉類投入部７２２、リジェクト部７３０、およびカセット装着部７３２（後述）の前面開口を開閉するためのシャッタ７３３がそれぞれ配設されている。また、有価媒体処理装置７１０を正面から見て左側部分には硬貨投入部７５２が配設されている。また、有価媒体処理装置７１０の上側部分には例えばタッチパネル等からなる操作表示部７８２が配設されている。また、有価媒体処理装置７１０の前面下部には下部扉７１４が設けられており、この下部扉７１４を開くことにより、筐体７１２内に収容された紙葉類回収カセット７３８、７４０（後述）や硬貨回収カセット７６８、７７０（後述）を筐体７１２の外部に引き出すことができるようになっている。
【０１０７】
次に、このような有価媒体処理装置７１０における紙葉類処理機構７２０および硬貨処理機構７５０の構成の詳細についてそれぞれ図１２を用いて以下に説明する。なお、図１２においては、紙葉類処理機構７２０の構成と硬貨処理機構７５０の構成とを１枚の図面に表示するため、両処理機構が前後に位置するように模式的に示されている。図１２に示すように、紙葉類処理機構７２０において、紙葉類投入部７２２には紙葉類繰出部７２３が設けられており、この紙葉類投入部７２２に積層状態で投入された紙幣や商品券等の紙葉類は紙葉類繰出部７２３により１枚ずつ有価媒体処理装置７１０の筐体７１２内に繰り出されるようになっている。また、紙葉類投入部７２２には紙葉類搬送部７２４が接続されており、紙葉類繰出部７２３により紙葉類投入部７２２から繰り出された紙幣や商品券等の紙葉類は紙葉類搬送部７２４により１枚ずつ搬送されるようになっている。また、紙葉類搬送部７２４には紙葉類識別部７２６が介設されており、紙葉類搬送部７２４により搬送される紙幣や商品券等の紙葉類は紙葉類識別部７２６によりその種類や金種等について識別が行われるようになっている。より詳細には、紙葉類識別部７２６には撮像部としてイメージセンサ７２７が設けられており、このイメージセンサ７２７により紙幣や商品券等の紙葉類の表面が撮像されてその画像データが取得されるようになっている。また、紙葉類識別部７２６は、イメージセンサ７２７により取得された紙幣や商品券の画像データに基づいて、紙幣の記番号や商品券の券番号（以下、これらをまとめて有価媒体の識別番号ともいう）を取得するようになっている。
【０１０８】
また、紙葉類搬送部７２４における紙葉類識別部７２６よりも下流側には消し込み部７２８が設けられている。消し込み部７２８は例えばインクジェットプリンタ等からなり、紙葉類識別部７２６により識別が行われた紙葉類が商品券である場合には、このような商品券の表面に対して消し込み部７２８により「済」印等の所定の内容が印字されるようになっている。このことにより、有価媒体処理装置７１０の筐体７１２内に投入されて紙葉類識別部７２６により識別が行われた商品券について、所定の内容が印字されることにより、操作者はこのような商品券が紙葉類処理機構７２０で処理済のものであることを視認することができるようになる。なお、消し込み部７２８により商品券に印字される内容や位置は任意に設定することができるようになっている。また、商品券の種類に応じて、消し込み部７２８による印字を行うか否かの設定を行うことができるようになっている。
【０１０９】
また、図１２に示すように、紙葉類搬送部７２４にはリジェクト部７３０が接続されており、紙葉類識別部７２６により識別された紙葉類のうち、正常な紙幣ではないと識別された紙幣や予め設定された所定の種類のものではない商品券がリジェクト券として紙葉類搬送部７２４からリジェクト部７３０に送られてこのリジェクト部７３０に集積されるようになっている。リジェクト部７３０は有価媒体処理装置７１０の筐体７１２の外部から操作者がアクセス可能となっており、リジェクト部７３０に集積されたリジェクト券は操作者により筐体７１２の外部に取り出されるようになっている。
【０１１０】
また、図１２に示すように、紙葉類搬送部７２４にはカセット装着部７３２が接続されている。カセット装着部７３２は筐体７１２の前面側に設けられており、紙幣を収納するとともに収納されている紙幣を繰り出し可能な収納カセットをカセット装着部７３２に装着させたりこのカセット装着部７３２から収納カセットを取り出したりすることができるようになっている。ここで、カセット装着部７３２に装着可能な収納カセットは、図１乃至図７に示す貨幣管理システム１で用いられる収納カセット３０と略同一の構成となっている。また、カセット装着部７３２には、当該カセット装着部７３２に装着された収納カセットに設けられているＩＣタグ等の記憶媒体に様々な情報を書き込んだり当該記憶媒体から様々な情報を読み取ったりするリーダライタ７３２ａ（図１３参照）が設けられている。また、図１１および図１２に示すように、カセット装着部７３２には、このカセット装着部７３２の前面開口の開閉を行うシャッタ７３３が設けられており、このシャッタ７３３を開くことにより、操作者はカセット装着部７３２に収納カセットを装着したりカセット装着部７３２から収納カセットを取り出したりすることができるようになっている。このようなシャッタ７３３の開閉は後述する制御部７８０により制御されるようになっている。なお、カセット装着部７３２の前面開口にシャッタ７３３を設置することを省略することもでき、この場合には、カセット装着部７３２は有価媒体処理装置７１０の筐体７１２の外部から操作者がいつでもアクセス可能となる。
【０１１１】
また、図１２に示すように、紙葉類搬送部７２４には第１の紙葉類一時保留部７３４および第２の紙葉類一時保留部７３６がそれぞれ接続されており、紙葉類識別部７２６により識別された紙葉類のうち予め設定された所定の種類の紙葉類が紙葉類搬送部７２４から第１の紙葉類一時保留部７３４や第２の紙葉類一時保留部７３６に送られてこれらの第１の紙葉類一時保留部７３４や第２の紙葉類一時保留部７３６に一時的に保留されるようになっている。また、第１の紙葉類一時保留部７３４の下方には第１の紙葉類回収カセット７３８が設けられているとともに、第２の紙葉類一時保留部７３６の下方には第２の紙葉類回収カセット７４０が設けられている。そして、第１の紙葉類一時保留部７３４や第２の紙葉類一時保留部７３６に紙葉類が一時的に保留された後、有価媒体処理装置７１０の制御部７８０（後述）に対して操作表示部７８２（後述）により入金確定の指令が与えられると、第１の紙葉類一時保留部７３４や第２の紙葉類一時保留部７３６の底面が開放されてこれらの第１の紙葉類一時保留部７３４や第２の紙葉類一時保留部７３６に一時的に保留されている紙葉類が第１の紙葉類回収カセット７３８や第２の紙葉類回収カセット７４０に収納されるようになっている。これらの第１の紙葉類回収カセット７３８や第２の紙葉類回収カセット７４０は、有価媒体処理装置７１０の筐体７１２から取り外し可能となっており、第１の紙葉類回収カセット７３８や第２の紙葉類回収カセット７４０を筐体７１２から取り外すことによりこれらの第１の紙葉類回収カセット７３８や第２の紙葉類回収カセット７４０に収納されている紙葉類を取り出すことができるようになっている。
【０１１２】
また、第１の紙葉類一時保留部７３４や第２の紙葉類一時保留部７３６に紙葉類が一時的に保留された後、有価媒体処理装置７１０の制御部７８０（後述）に対して操作表示部７８２（後述）により返却指令が与えられると、第１の紙葉類一時保留部７３４や第２の紙葉類一時保留部７３６に一時的に保留された紙葉類が有価媒体処理装置７１０の筐体７１２の外部に返却されるようになっている。ここで、第１の紙葉類一時保留部７３４や第２の紙葉類一時保留部７３６は、第１の紙葉類回収カセット７３８や第２の紙葉類回収カセット７４０から独立して有価媒体処理装置７１０の筐体７１２から手前側に引き出し可能となっている。具体的には、図１１に示すように、有価媒体処理装置７１０の前面において下部扉７１４の右上箇所に一時保留部用扉７１６が設けられており、第１の紙葉類一時保留部７３４内の保留紙幣を回収する際には、この一時保留部用扉７１６を開くことで第１の紙葉類一時保留部７３４内の保留紙幣を取り出すことができるようになっている。一方、第２の紙葉類一時保留部７３６内の保留紙幣を回収する際には、この一時保留部用扉７１６を開き、第１の紙葉類一時保留部７３４および第２の紙葉類一時保留部７３６をそれぞれ筐体７１２から手前側に引き出すことで第２の紙葉類一時保留部７３６の上面から保留紙幣を取り出すことができるようになる。
【０１１３】
次に、硬貨処理機構７５０の構成について以下に説明する。図１１および図１２に示すように、硬貨処理機構７５０には例えばホッパ等からなる硬貨投入部７５２が設けられており、この硬貨投入部７５２には硬貨搬送部７５４が接続されている。ここで、硬貨投入部７５２に投入された硬貨は硬貨搬送部７５４により一層一列状態で１枚ずつ搬送されるようになっている。また、硬貨搬送部７５４には硬貨識別部７５６が設けられており、硬貨搬送部７５４により搬送される硬貨は硬貨識別部７５６によりその真偽や金種等について識別が行われるようになっている。また、硬貨識別部７５６よりも硬貨の搬送方向における下流側において、硬貨搬送部７５４の搬送面には硬貨リジェクト口および２つの分岐口がそれぞれ設けられており、これらの硬貨リジェクト口や各分岐口にはソレノイド付き選別部材（図示せず）がそれぞれ設けられている。そして、各ソレノイド付き選別部材により、硬貨搬送部７５４により搬送される硬貨が硬貨リジェクト口や各分岐口に選択的に入れられ、硬貨搬送部７５４から分岐されるようになっている。
【０１１４】
図１２に示すように、硬貨搬送部７５４における硬貨リジェクト口の下方には硬貨リジェクトシュート７５８を介して硬貨リジェクト部７６０が設けられている。ここで、硬貨識別部７５６により識別された硬貨のうち、正常な硬貨ではないリジェクト硬貨は硬貨リジェクト口により硬貨搬送部７５４から分岐されて硬貨リジェクトシュート７５８に送られ、この硬貨リジェクトシュート７５８により硬貨リジェクト部７６０に導かれるようになっている。このような硬貨リジェクト部７６０は有価媒体処理装置７１０の筐体７１２の外部に取り出し可能となっており、操作者は、硬貨リジェクト部７６０を筐体７１２の外部に取り出した後、この硬貨リジェクト部７６０からリジェクト硬貨を取り出すようになっている。
【０１１５】
また、硬貨搬送部７５４に設けられた２つの分岐口の各々の下方には第１の硬貨搬送シュート７６１および第２の硬貨搬送シュート７６３を介して第１の硬貨一時保留部７６２および第２の硬貨一時保留部７６４がそれぞれ設けられており、所定の金種の硬貨がそれぞれ硬貨搬送部７５４から分岐口により分岐されて第１の硬貨搬送シュート７６１や第２の硬貨搬送シュート７６３に送られ、第１の硬貨一時保留部７６２や第２の硬貨一時保留部７６４に一時的に保留されるようになっている。ここで、第１の硬貨一時保留部７６２および第２の硬貨一時保留部７６４はそれぞれ、上方および下方が開口された枠体と、この枠体の下方開口を選択的に閉じる底板とを有しており、枠体の下方開口を底板が閉じた状態で、第１の硬貨一時保留部７６２や第２の硬貨一時保留部７６４に硬貨が一時的に保留されるようになっている。
【０１１６】
また、図１２に示すように、第１の硬貨一時保留部７６２や第２の硬貨一時保留部７６４の下方には、硬貨返却箱７６６、第１の硬貨回収カセット７６８および第２の硬貨回収カセット７７０がそれぞれ設けられており、第１の硬貨一時保留部７６２や第２の硬貨一時保留部７６４に一時的に保留された硬貨は、これらの硬貨返却箱７６６、第１の硬貨回収カセット７６８および第２の硬貨回収カセット７７０のうち何れかに送られるようになっている。ここで、第１の硬貨回収カセット７６８には第１の硬貨一時保留部７６２に一時的に保留された硬貨が送られるようになっており、また、第２の硬貨回収カセット７７０には第２の硬貨一時保留部７６４に一時的に保留された硬貨が送られるようになっている。また、硬貨返却箱７６６は２つの領域に区分けされている。そして、第１の硬貨一時保留部７６２や第２の硬貨一時保留部７６４に硬貨が一時的に保留された後、有価媒体処理装置７１０の制御部７８０（後述）に対して操作表示部７８２（後述）により入金確定の指令が与えられると、第１の硬貨一時保留部７６２や第２の硬貨一時保留部７６４の枠体が水平方向に移動して、この枠体内にある硬貨がそれぞれ第１の硬貨回収カセット７６８や第２の硬貨回収カセット７７０に収納されるようになる。これらの第１の硬貨回収カセット７６８や第２の硬貨回収カセット７７０は、有価媒体処理装置７１０の筐体７１２から取り外し可能となっており、第１の硬貨回収カセット７６８や第２の硬貨回収カセット７７０を筐体７１２から取り外すことによりこれらの第１の硬貨回収カセット７６８や第２の硬貨回収カセット７７０に収納されている硬貨を取り出すことができるようになっている。
【０１１７】
また、第１の硬貨一時保留部７６２や第２の硬貨一時保留部７６４に硬貨が一時的に保留された後、有価媒体処理装置７１０の制御部７８０（後述）に対して操作表示部７８２（後述）により返却指令が与えられると、第１の硬貨一時保留部７６２や第２の硬貨一時保留部７６４の底板が水平方向に移動して枠体の下部開口が開くことにより、この枠体内にある硬貨が硬貨返却箱７６６に収納される。ここで、前述したように硬貨返却箱７６６は２つの領域に区分けされており、第１の硬貨一時保留部７６２および第２の硬貨一時保留部７６４からそれぞれ送られた硬貨が、２つに区分けされた各領域に収納されるようになる。硬貨返却箱７６６は有価媒体処理装置７１０の筐体７１２から前方に引き出し可能となっており、硬貨返却箱７６６を筐体７１２から前方に引き出すことにより操作者はこの硬貨返却箱７６６から返却硬貨を取り出すことができるようになる。
【０１１８】
また、本実施の形態では、カセット装着部７３２、第１の紙葉類回収カセット７３８、第２の紙葉類回収カセット７４０、第１の硬貨回収カセット７６８および第２の硬貨回収カセット７７０からなる各有価媒体収納部へのアクセスが規制部７７５（図１３参照）により有価媒体収納部毎に規制されるようになっている。より詳細には、紙葉類回収カセット７３８、７４０や硬貨回収カセット７６８、７７０については、各収納カセットに対応してカセットロック部（図示せず）がそれぞれ設けられており、これらのカセットロック部により有価媒体処理装置７１０の筐体７１２内に各収納カセットを選択的にロックして取出不可とするようになっている。そして、このような規制部７７５によるロックを解除することにより、有価媒体処理装置７１０の筐体７１２内から第１の紙葉類回収カセット７３８のみを取り出す動作や、有価媒体処理装置７１０の筐体７１２内から第１の紙葉類回収カセット７３８、第２の紙葉類回収カセット７４０、第１の硬貨回収カセット７６８、第２の硬貨回収カセット７７０を一体的に取り出す動作等を選択的に行うことができるようになる。
【０１１９】
また、図１３に示すように、本実施の形態の有価媒体処理装置７１０では、この有価媒体処理装置７１０における各構成要素の制御を行う制御部７８０が設けられている。より詳細には、制御部７８０には紙葉類処理機構７２０、硬貨処理機構７５０、規制部７７５等がそれぞれ接続されており、この制御部７８０から各構成要素に指令信号が送られることにより、これらの各構成要素が制御されるようになっている。また、前述したように、有価媒体処理装置７１０の上側部分には例えばタッチパネル等からなる操作表示部７８２が配設されているが、この操作表示部７８２も制御部７８０に接続されており、このことにより、操作者は操作表示部７８２によって制御部７８０に対して様々な指令を与えたり、あるいは操作表示部７８２における表示内容が制御部７８０により制御されたりするようになっている。このような操作表示部７８２には、例えば操作ガイダンスや入金処理時の取引データ、あるいは各回収カセット７３８、７４０、７６８、７７０に収納された貨幣や商品券の在高等のデータが表示されるようになっている。
【０１２０】
また、制御部７８０には記憶部７８４が接続されており、この記憶部７８４には、入金処理時の取引データや、各回収カセット７３８、７４０、７６８、７７０に収納された貨幣や商品券の在高等のデータが記憶されるようになっている。また、本実施の形態では、制御部７８０は、紙葉類投入部７２２により筐体７１２内に投入され、紙葉類識別部７２６により識別が行われた紙幣や商品券等の有価媒体について、当該紙葉類識別部７２６においてイメージセンサ７２７により取得された有価媒体の画像データに基づいて取得された有価媒体の識別番号（具体的には、紙幣の記番号や商品券の券番号）を記憶部７８４に記憶させるようになっている。
【０１２１】
また、制御部７８０には、操作者の管理権限を認証するための認証部７８６が設けられている。認証部７８６は、例えば有価媒体処理装置７１０の上側部分における操作表示部７８２の右側に配置され、操作者が携帯するＩＣカードの読み取りを行うＩＣカードリーダ７８３（図１１参照）からなり、このようなＩＣカードリーダ７８３で操作者が携帯するＩＣカードの読み取りを行うことによりこの操作者の管理権限が店舗側の管理権限および警送会社側の管理権限のうち何れかを判定するようになっている。なお、認証部７８６としては、ＩＣカードリーダ７８３の代わりに、操作者が携帯する磁気カードの読み取りを行う磁気カードリーダが用いられてもよい。また、操作者は、ＩＣカードをＩＣカードリーダ７８３に読み取らせる代わりに、操作表示部７８２や別途設けられたキーボード等（図示せず）により操作者の識別番号やパスワードを入力し、この入力された操作者の識別番号やパスワードに基づいて認証部７８６が操作者の管理権限を認証するようになっていてもよい。また、認証部７８６は、操作者の指紋や網膜をチェックするような生体認証を行うようになっていてもよい。
【０１２２】
また、制御部７８０にはプリンタ７８８が接続されており、このプリンタ７８８により、入金処理時の取引データや、有価媒体処理装置７１０の締め処理や回収処理の際における各回収カセット７３８、７４０、７６８、７７０やカセット装着部７３２に収納された貨幣や商品券の在高等のデータ等の印字が行われるようになっている。
【０１２３】
また、制御部７８０には通信部７９０が接続されており、この通信部７９０により、有価媒体処理装置７１０の制御部７８０は上位装置等の外部装置に対して信号の送受信を行うことができるようになっている。具体的には、有価媒体処理装置７１０の入金処理時の取引データが通信部７９０を介して外部装置に送信されたり、有価媒体処理装置７１０の様々な設定情報等が通信部７９０により外部装置から受信されたりするようになっている。
【０１２４】
また、図１１乃至図１３に示す有価媒体処理装置７１０でも、紙葉類処理機構７２０のカセット装着部７３２に装着可能となっている収納カセットは、警送会社の警備員が有価媒体処理装置７１０の紙葉類処理機構７２０に紙幣を補充する際に用いられるようになっている。具体的には、紙葉類処理機構７２０のカセット装着部７３２に警備員が紙幣を補充する際に、紙幣が収納されている収納カセットを警送会社から店舗に警備員が運搬する。そして、警備員が収納カセットを紙葉類処理機構７２０のカセット装着部７３２に設けられているカセット装着部７３２に装着すると、カセット装着部７３２に装着された収納カセットから紙幣が繰り出されて紙葉類処理機構７２０の内部に収納されるようになる。また、収納カセットに設けられた記憶媒体には、紙幣が補充されるべき有価媒体処理装置７１０が設置されている店舗の識別情報である店舗情報が記憶されるようになっている。
【０１２５】
次に、警送会社の警備員が本実施の形態の有価媒体処理装置７１０に貨幣（具体的には、紙幣）を補充する動作の詳細について以下に説明する。
【０１２６】
まず、警送会社の警備員は、有価媒体処理装置７１０に補充されるべき紙幣が収納されている収納カセットを警送会社の管理センターから店舗に運搬する。次に、警備員は自分のＩＣカードをＩＣカードリーダ７８３によって読み取らせることにより当該警備員の認証が認証部７８６により行われる。なお、警備員は自分のＩＣカードをＩＣカードリーダ７８３によって読み取らせることにより当該警備員の認証を行う代わりに、操作表示部７８２によって自分の識別番号およびパスワードを入力することにより当該警備員の認証を認証部７８６により行うようにしてもよい。そして、認証部７８６において警備員の認証が行われると、警備員はシャッタ７３３を開いてカセット装着部７３２に紙幣が収納されている収納カセットを装着する。収納カセットがカセット装着部７３２に装着されると、この収納カセットに設けられている記憶媒体から店舗情報を含む情報がリーダライタ７３２ａにより読み取られる。そして、制御部７８０は、リーダライタ７３２ａにより読み取られた店舗情報に基づいて、カセット装着部７３２に装着された収納カセットが自店（すなわち、有価媒体処理装置７１０が設置されている店舗）で使用されるべきものであるか否かを判定する。具体的には、有価媒体処理装置７１０の記憶部７８４には、この有価媒体処理装置７１０が設置されている店舗の識別情報である店舗情報が記憶されており、制御部７８０は、リーダライタ７３２ａにより読み取られた店舗情報と、記憶部７８４に記憶されている店舗情報とが一致するか否かを判定する。
【０１２７】
カセット装着部７３２に設けられたリーダライタ７３２ａにより読み取られた店舗情報と、記憶部７８４に記憶されている店舗情報とが一致し、カセット装着部７３２に装着された収納カセットが自店で使用されるべきものであると制御部７８０により判定された場合には、収納カセットに収納されている紙幣の授受を操作者に促す旨の情報が操作表示部７８２に表示される。そして、警備員によって操作表示部７８２により収納カセットに収納されている紙幣の授受を行う旨の指令が入力されると、収納カセットに収納されている紙幣の授受の認証が行われる。そして、収納カセットに収納されている紙幣の授受の認証が警備員により行われると、カセット装着部７３２に装着された収納カセットから紙幣が１枚ずつ紙葉類処理機構７２０の内部に繰り出され、この紙葉類処理機構７２０（例えば、各紙葉類一時保留部７３４、７３６）に収納されるようになる。
【０１２８】
その後、収納カセットに収納されている紙幣の授受が行われたことがプリンタ７８８によりレシートに印字される。このことにより、警備員はプリンタ７８８により印字されたレシートを持ち帰ることによって有価媒体処理装置７１０の紙葉類処理機構７２０に紙幣を補充したことを証明することができるようになる。また、収納カセットに収納されている紙幣の授受が行われたことがプリンタ７８８によりレシートに印字される際に、収納カセットに収納されている紙幣の授受を行った操作者の識別情報（すなわち、認証部７８６により認証された警備員の識別情報）もプリンタ７８８によりレシートに印字される。このことにより、誰が収納カセットに収納されている紙幣を有価媒体処理装置７１０の紙葉類処理機構７２０に補充したかがより明確となる。また、収納カセットに収納されている紙幣の授受が行われた旨の情報や、収納カセットに収納されている紙幣の授受を行った操作者の識別情報等の情報が通信部７９０により上位端末等の外部装置に送信されるようになっていてもよい。さらに、収納カセットに収納されている紙幣の授受が行われた旨の情報や、収納カセットに収納されている紙幣の授受を行った操作者の識別情報等の情報がリーダライタ７３２ａにより収納カセットの記憶媒体に書き込まれるようになっていてもよい。一方、カセット装着部７３２に装着された収納カセットが自店で使用されるべきものであると制御部７８０により判定されたときに、警備員によって操作表示部７８２により紙幣の授受を取り消す旨の指令が入力されると、有価媒体処理装置７１０の紙葉類処理機構７２０への紙幣の補充動作が取り消されるようになる。
【０１２９】
なお、他の態様として、カセット装着部７３２に装着された収納カセットが自店で使用されるべきものであると制御部７８０により判定された場合には、収納カセットに収納されている紙幣の授受の認証が行われなくても、カセット装着部７３２に装着された収納カセットから紙幣が１枚ずつ有価媒体処理装置７１０の紙葉類処理機構７２０の内部に自動的に繰り出されるようになっていてもよい。
【０１３０】
また、カセット装着部７３２に設けられたリーダライタ７３２ａにより読み取られた店舗情報と、記憶部７８４に記憶されている店舗情報とが一致せず、カセット装着部７３２に装着された収納カセットが自店で使用されるべきものではないと制御部７８０により判定された場合には、誤った収納カセットがカセット装着部７３２に装着された旨の警告メッセージが操作表示部７８２に表示される。このことにより、警備員は、収納カセットに収納されている紙幣が補充されるべき有価媒体処理装置７１０が設置されている店舗とは別の店舗の有価媒体処理装置７１０に誤って紙幣を収納しようとしていたことに気づくことができるようになる。
【０１３１】
以上のような構成からなる有価媒体処理装置７１０によれば、カセット装着部７３２に設けられているリーダライタ７３２ａ（読取部）は、処理部（例えば、紙葉類搬送部７２４）により処理される貨幣（具体的には、紙幣）を収納するための持ち運び可能な収納カセット（収納部）に設けられている記憶媒体から店舗情報を含む情報を読み取り、操作表示部７８２（報知部）は、読取部により読み取られた店舗情報に基づいて、収納カセットが自店で使用されるべきものであるか否かを報知するようになっている。このことにより、収納カセットが自店で使用されるべきものであるか否かをチェックするための専用の器具を持たなくても操作者（具体的には、例えば警送会社の警備員）は収納カセットが自店で使用されるべきものであるか否かを知ることができる。
【０１３２】
なお、図１１乃至図１３に示す有価媒体処理装置７１０において、貨幣を収納するための持ち運び可能な収納部は、紙幣を収納する収納カセットに限定されることはない。図１１乃至図１３に示す有価媒体処理装置７１０において、貨幣を収納するための持ち運び可能な収納部として、硬貨を収納する収納カセットが用いられ、この収納カセットに、店舗情報を含む情報を記憶する記憶媒体が設けられていてもよい。この場合には、硬貨を収納する収納カセットが硬貨処理機構７５０に装着されたときに、当該収納カセットに設けられている記憶媒体から店舗情報が読み取られることにより、この読み取られた店舗情報に基づいて、収納カセットが自店で使用されるべきものであるか否かが操作表示部７８２により報知されるようになっていてもよい。
【符号の説明】
【０１３３】
１        貨幣管理システム
１０      警送会社
２０      店舗
３０      収納カセット
３２      記憶媒体
４０      ターミナル
４２      ユーザーサーバー
１００    貨幣入出金機
１０１    筐体
１０２    制御部
１０４    操作表示部
１０５    通信部
１０６    記憶部
１０７    印字部
１０８    識別情報受付部
１１０    紙幣処理ユニット
１２０    紙幣受入部
１２０ａ  紙幣受入口
１２１    紙幣繰出機構
１２２    紙幣払出部
１２２ａ  紙幣取出口
１２４    出金リジェクト部
１２６    カセット装着部
１２６ａ  扉
１２８    書込部
１２９    読取部
１３０    搬送部
１３０ａ  周回搬送部
１３０ｂ  接続搬送部
１３２    識別部
１３４、１３６    収納繰出部
１３５、１３７    紙幣繰出機構
１４０    回収カセット
１４０ａ  扉
１５０    硬貨処理ユニット
１５２    硬貨受入部
１５３    硬貨繰出機構
１５４    入金搬送部
１５６    識別部
１５８    第１分岐部
１６０    収納繰出部
１６２    出金搬送部
１６４    第２分岐部
１６６    硬貨払出部
１７０    回収カセット
１７０ａ  扉
１８０    包装硬貨収納ユニット
１８０ａ〜１８０ｆ  収納領域
１８２    引出部
１８４    ロック機構
１８６    重量計
２００    貨幣釣銭機
２１０    紙幣処理ユニット
２５０    硬貨処理ユニット
２８０    包装硬貨収納ユニット
２９０    ＰＯＳレジスタ
３０１    貨幣処理装置
３１０    制御部
３１１    表示部
３１２    操作部
３２０    プリンタ
３３０    通信部
３４０    記憶部
４００    紙幣処理部
４０１    シャッタ機構
４０３    扉
４２０    紙幣入出金口
４２１    紙幣繰出機構
４２４    入金リジェクト部
４２６    出金リジェクト部
４３０    紙幣搬送部
４３１    紙幣識別部
４３６    分岐部材
４４０、４４０ａ〜４４０ｃ  金種別紙幣収納部
４４１    紙幣繰出機構
４４２    紙幣一時保留部
４４３    紙幣繰出機構
４４４    紙幣回収カセット
４４５    紙幣繰出機構
４５０    カセット装着部
５００    硬貨処理部
５０１    硬貨入金口
５０４    硬貨出金箱
６００    包装硬貨処理部
６０１    包装硬貨出金口
７１０    有価媒体処理装置
７１２    筐体
７１４    下部扉
７１６    一時保留部用扉
７２０    紙葉類処理機構
７２２    紙葉類投入部
７２３    紙葉類繰出部
７２４    紙葉類搬送部
７２６    紙葉類識別部
７２７    イメージセンサ
７２８    消し込み部
７３０    リジェクト部
７３２    カセット装着部
７３２ａ  リーダライタ
７３３    シャッタ
７３４    第１の紙葉類一時保留部
７３６    第２の紙葉類一時保留部
７３８    第１の紙葉類回収カセット
７４０    第２の紙葉類回収カセット
７５０    硬貨処理機構
７５２    硬貨投入部
７５４    硬貨搬送部
７５６    硬貨識別部
７５８    硬貨リジェクトシュート
７６０    硬貨リジェクト部
７６１    第１の硬貨搬送シュート
７６２    第１の硬貨一時保留部
７６３    第２の硬貨搬送シュート
７６４    第２の硬貨一時保留部
７６６    硬貨返却箱
７６８    第１の硬貨回収カセット
７７０    第２の硬貨回収カセット
７７５    規制部
７８０    制御部
７８２    操作表示部
７８３    ＩＣカードリーダ
７８４    記憶部
７８６    認証部
７８８    プリンタ
７９０    通信部
【図１】
2019144662.tif 000003
【図２】
2019144662.tif 000004
【図３】
2019144662.tif 000005
【図４】
2019144662.tif 000006
【図５】
2019144662.tif 000007
【図６】
2019144662.tif 000008
【図７】
2019144662.tif 000009
【図８】
2019144662.tif 000010
【図９】
2019144662.tif 000011
【図１０】
2019144662.tif 000012
【図１１】
2019144662.tif 000013
【図１２】
2019144662.tif 000014
【図１３】
2019144662.tif 000015